(57)【特許請求の範囲】
【請求項１】
電動遮蔽装置における遮蔽材の開閉を遠隔制御可能とする情報端末装置であって、
タッチ操作を検出可能なタッチパネル式表示部と、
前記タッチパネル式表示部の表示画面上に遠隔制御対象の電動遮蔽装置における遮蔽材の開閉状態の模擬表示を行い、当該表示画面に対するタッチ操作として、フリック操作、所定回数のタップ操作及びロングタップ操作のうちの１つ又はこれらの組み合わせによる当該遮蔽材の開閉状態を制御する操作要求を検出し、該操作要求に応じた制御コマンドを生成して当該遠隔制御対象の電動遮蔽装置に向けて送信し遠隔制御する機能を有する制御部と、
を備えることを特徴とする情報端末装置。
【請求項２】
前記制御部は、前記操作要求を検出可能とするために、当該遠隔制御対象の電動遮蔽装置から予め開閉状態に関する状態情報を取得する機能と、当該遠隔制御対象の電動遮蔽装置から、前記制御コマンドにより遠隔制御された開閉状態に関する状態情報を所定間隔で逐次的に取得し、該状態情報を基に当該模擬表示を動的に変化させる機能を有することを特徴とする、請求項１に記載の情報端末装置。
【請求項３】
前記制御部は、前記操作要求を検出可能とするために、当該遠隔制御対象の電動遮蔽装置から予め開閉状態に関する仕様情報及び状態情報を取得する機能と、該仕様情報及び状態情報から、前記制御コマンドにより遠隔制御した際の当該開閉状態に関する変化を演算し、当該模擬表示を動的に変化させる機能を有することを特徴とする、請求項１に記載の情報端末装置。
【請求項４】
前記制御部は、当該操作要求としてフリック操作を検出し、該フリック操作の方向を識別し、方向別に異なる操作要求として処理する機能を有することを特徴とする、請求項１から３のいずれか一項に記載の情報端末装置。
【請求項５】
前記制御部は、当該操作要求として所定回数のタップ操作を検出し、該所定回数のタップ操作に係る表示画面上の２次元座標領域を識別し、２次元座標領域別に異なる操作要求として処理する機能を有することを特徴とする、請求項１から４のいずれか一項に記載の情報端末装置。
【請求項６】
前記制御部は、当該操作要求として所定回数のタップ操作によるタッチ座標を検出し、該タッチ座標を基に、当該操作要求に係る開閉方向を識別する機能を有することを特徴とする、請求項５に記載の情報端末装置。
【請求項７】
前記制御部は、当該タッチ座標を基に、当該操作要求に係る動作目標位置を識別する機能を有することを特徴とする、請求項６に記載の情報端末装置。
【請求項８】
前記制御部は、当該開閉状態の遠隔制御に関する動作開始時の操作要求と、当該開閉状態の遠隔制御に関する動作停止時の操作要求とを識別して、それぞれの操作要求に応じて前記制御コマンドを送信する機能を有することを特徴とする、請求項１から７のいずれか一項に記載の情報端末装置。
【請求項９】
前記制御部は、当該操作要求に応じた開閉動作を当該遠隔制御対象の電動遮蔽装置に実行させて自動停止させるよう、当該開閉状態の遠隔制御に関する動作開始時の操作要求のみ前記制御コマンドを送信する機能を有することを特徴とする、請求項１から７のいずれか一項に記載の情報端末装置。
【請求項１０】
前記制御部は、ロングタップ操作による開閉操作に関するダイアログ表示画面を提示し、該ダイアログ表示画面上で、当該操作要求としてタップ操作を検出する機能を有することを特徴とする、請求項１から９のいずれか一項に記載の情報端末装置。
【請求項１１】
前記遮蔽材が多数段のスラットからなる際に、前記遮蔽材の開閉は、前記スラットの開閉位置及びチルト量を含むことを特徴とする、請求項１から１０のいずれか一項に記載の情報端末装置。
【請求項１２】
前記制御部は、前記遮蔽材が多数段のスラットからなる際に、前記スラットの開閉位置及びチルト量のそれぞれについて動的模擬表示を行う機能を有することを特徴とする、請求項１から１１のいずれか一項に記載の情報端末装置。
【請求項１３】
前記制御部は、２以上の当該遠隔制御対象の電動遮蔽装置をグループ化して、一括操作可能に前記制御コマンドを送信する機能を有することを特徴とする、請求項１から１２のいずれか一項に記載の情報端末装置。
【請求項１４】
電動遮蔽装置における遮蔽材の開閉を遠隔制御可能とする携帯端末装置の制御方法であって、
タッチ操作を検出可能なタッチパネル式表示部の表示画面上に、遠隔制御対象の電動遮蔽装置における遮蔽材の開閉状態の模擬表示を行うステップと、
当該表示画面に対するタッチ操作として、フリック操作、所定回数のタップ操作及びロングタップ操作のうちの１つ又はこれらの組み合わせによる当該遮蔽材の開閉状態を制御する操作要求を検出するステップと、
該操作要求に応じた制御コマンドを生成して当該遠隔制御対象の電動遮蔽装置に向けて送信し遠隔制御するステップと、
を含むことを特徴とする制御方法。
【請求項１５】
電動遮蔽装置における遮蔽材の開閉を遠隔制御可能とするコンピューターに、
タッチ操作を検出可能なタッチパネル式表示部の表示画面上に、遠隔制御対象の電動遮蔽装置における遮蔽材の開閉状態の模擬表示を行うステップと、
当該表示画面に対するタッチ操作として、フリック操作、所定回数のタップ操作及びロングタップ操作のうちの１つ又はこれらの組み合わせによる当該遮蔽材の開閉状態を制御する操作要求を検出するステップと、
該操作要求に応じた制御コマンドを生成して当該遠隔制御対象の電動遮蔽装置に向けて送信し遠隔制御するステップと、
を実行させるためのプログラム。
【請求項１６】
請求項１から１３のいずれか一項に記載の情報端末装置から当該制御コマンドを受け付ける手段と、
当該制御コマンドに応じた操作要求に関する遮蔽材の開閉状態となるよう動作する手段と、
当該動作後の遮蔽材の開閉状態に関する状態情報を制御コマンドの応答として前記情報端末装置に向けて返信する手段と、
を備えることを特徴とする電動遮蔽装置。
【請求項１７】
現在の遮蔽材の開閉状態を示す状態情報、或いは該状態情報及び当該遮蔽材の開閉に関する仕様情報を含む制御コマンドを受け付ける手段と、
該制御コマンドに応じて、当該状態情報、或いは当該状態情報及び当該仕様情報を前記情報端末装置に向けて返信する手段と、
を更に備えることを特徴とする、請求項１６に記載の電動遮蔽装置。
【請求項１８】
自身又は他の制御対象の電動遮蔽装置に向けて送信された当該制御コマンドを中継して送信する手段を更に備えることを特徴とする、請求項１６又は１７に記載の電動遮蔽装置。
【発明の詳細な説明】
【技術分野】
【０００１】
本発明は、宅内の電動遮蔽装置を無線通信により制御可能とする携帯端末装置、その制御方法及びプログラム、並びに電動遮蔽装置に関する。
【背景技術】
【０００２】
従来、タッチパネル式表示部を有する情報端末により、制御対象の電動遮蔽装置を模擬的に表示し、スワイプ操作、或いはピンチイン又はピンチアウト操作によりカーテンの開閉に関する遠隔操作を可能とする制御技法が開示されている（例えば、特許文献１参照）。ここで、「スワイプ」とは、ディスプレイの画面に触れた状態で指を滑らせる操作を云う。また、「ピンチイン」とは、ディスプレイの画面に触れた状態で２本の指の間隔を狭める操作、「ピンチアウト」とは、ディスプレイの画面に触れた状態で２本の指の間隔を広げる操作を云う。
【先行技術文献】
【特許文献】
【０００３】
【特許文献１】特許第５７１９４８４号明細書
【発明の概要】
【発明が解決しようとする課題】
【０００４】
特許文献１に開示される技法によれば、タッチパネル式表示部を有する情報端末により、制御対象の電動遮蔽装置を模擬的に表示するため、操作者にとってそのカーテンの開閉に関する遠隔操作の視認性を高めることができる。
【０００５】
しかしながら、特許文献１に開示される技法では、カーテンの開閉に関する遠隔操作をスワイプ操作、或いはピンチイン又はピンチアウト操作により行うように構成しているため、実用上の観点から操作性に関して改善の余地がある。
【０００６】
本発明の目的は、上述した問題に鑑みて、操作性を向上させて宅内の電動遮蔽装置を無線通信により制御可能に構成したタッチパネル式表示部を有する携帯端末装置、その制御方法及びプログラム、並びに電動遮蔽装置を提供することにある。
【課題を解決するための手段】
【０００７】
本発明に係る携帯端末装置は、フリック操作、或いは所定回数のタップ操作（タップ、ダブルタップ、トリプルタップ等の予め定められた回数のタップ操作）、更にはロングタップ操作により、制御対象（操作対象）の電動遮蔽装置における遮蔽材の開閉状態を無線通信により制御可能とするとともに、制御対象の電動遮蔽装置における遮蔽材の開閉状態を動的に模擬表示することで、操作者によって直感的に把握しやすい表示と操作を提示することができ、その操作性を向上させることができる。ここで、「フリック」とは、ディスプレイの画面に触れた状態で指を所定方向に弾く操作を云う。また、「タップ」とは、ディスプレイの画面に対して、画面を一度軽く叩くようにして一瞬だけ画面に触れる操作、「ダブルタップ」とは、ディスプレイの画面に対して、画面を二度軽く叩くようにして二度とも一瞬だけ画面に触れる操作を云う。また、「ロングタップ」とは、ディスプレイの画面に対して、所定時間以上、触れてから離す操作を云う。
【０００８】
即ち、本発明の情報端末装置は、電動遮蔽装置における遮蔽材の開閉を遠隔制御可能とする情報端末装置であって、タッチ操作を検出可能なタッチパネル式表示部と、前記タッチパネル式表示部の表示画面上に遠隔制御対象の電動遮蔽装置における遮蔽材の開閉状態の模擬表示を行い、当該表示画面に対するタッチ操作として、フリック操作、所定回数のタップ操作及びロングタップ操作のうちの１つ又はこれらの組み合わせによる当該遮蔽材の開閉状態を制御する操作要求を検出し、該操作要求に応じた制御コマンドを生成して当該遠隔制御対象の電動遮蔽装置に向けて送信し遠隔制御する機能を有する制御部と、を備えることを特徴とする。
【０００９】
また、本発明の情報端末装置において、前記制御部は、前記操作要求を検出可能とするために、当該遠隔制御対象の電動遮蔽装置から予め開閉状態に関する状態情報を取得する機能と、当該遠隔制御対象の電動遮蔽装置から、前記制御コマンドにより遠隔制御された開閉状態に関する状態情報を所定間隔で逐次的に取得し、該状態情報を基に当該模擬表示を動的に変化させる機能を有することを特徴とする。
【００１０】
また、本発明の情報端末装置において、前記制御部は、前記操作要求を検出可能とするために、当該遠隔制御対象の電動遮蔽装置から予め開閉状態に関する仕様情報及び状態情報を取得する機能と、該仕様情報及び状態情報から、前記制御コマンドにより遠隔制御した際の当該開閉状態に関する変化を演算し、当該模擬表示を動的に変化させる機能を有することを特徴とする。
【００１１】
また、本発明の情報端末装置において、前記制御部は、当該操作要求としてフリック操作を検出し、該フリック操作の方向を識別し、方向別に異なる操作要求として処理する機能を有することを特徴とする。
【００１２】
また、本発明の情報端末装置において、前記制御部は、当該操作要求として所定回数のタップ操作を検出し、該所定回数のタップ操作に係る表示画面上の２次元座標領域を識別し、２次元座標領域別に異なる操作要求として処理する機能を有することを特徴とする。
【００１３】
また、本発明の情報端末装置において、前記制御部は、当該操作要求として所定回数のタップ操作によるタッチ座標を検出し、該タッチ座標を基に、当該操作要求に係る開閉方向を識別する機能を有することを特徴とする。
【００１４】
また、本発明の情報端末装置において、前記制御部は、当該タッチ座標を基に、当該操作要求に係る動作目標位置を識別する機能を有することを特徴とする。
【００１５】
また、本発明の情報端末装置において、前記制御部は、当該開閉状態の遠隔制御に関する動作開始時の操作要求と、当該開閉状態の遠隔制御に関する動作停止時の操作要求とを識別して、それぞれの操作要求に応じて前記制御コマンドを送信する機能を有することを特徴とする。
【００１６】
また、本発明の情報端末装置において、前記制御部は、当該操作要求に応じた開閉動作を当該遠隔制御対象の電動遮蔽装置に実行させて自動停止させるよう、当該開閉状態の遠隔制御に関する動作開始時の操作要求のみ前記制御コマンドを送信する機能を有することを特徴とする。
【００１７】
また、本発明の情報端末装置において、前記制御部は、ロングタップ操作による開閉操作に関するダイアログ表示画面を提示し、該ダイアログ表示画面上で、当該操作要求としてタップ操作を検出する機能を有することを特徴とする。
【００１８】
また、本発明の情報端末装置において、前記遮蔽材が多数段のスラットからなる際に、前記遮蔽材の開閉は、前記スラットの開閉位置及びチルト量を含むことを特徴とする。
【００１９】
また、本発明の情報端末装置において、前記制御部は、前記遮蔽材が多数段のスラットからなる際に、前記スラットの開閉位置及びチルト量のそれぞれについて動的模擬表示を行う機能を有することを特徴とする。
【００２０】
また、本発明の情報端末装置において、前記制御部は、２以上の当該遠隔制御対象の電動遮蔽装置をグループ化して、一括操作可能に前記制御コマンドを送信する機能を有することを特徴とする。
【００２１】
また、本発明の携帯端末装置の制御方法は、電動遮蔽装置における遮蔽材の開閉を遠隔制御可能とする携帯端末装置の制御方法であって、タッチ操作を検出可能なタッチパネル式表示部の表示画面上に、遠隔制御対象の電動遮蔽装置における遮蔽材の開閉状態の模擬表示を行うステップと、当該表示画面に対するタッチ操作として、フリック操作、所定回数のタップ操作及びロングタップ操作のうちの１つ又はこれらの組み合わせによる当該遮蔽材の開閉状態を制御する操作要求を検出するステップと、該操作要求に応じた制御コマンドを生成して当該遠隔制御対象の電動遮蔽装置に向けて送信し遠隔制御するステップと、を含むことを特徴とする。
【００２２】
また、本発明のプログラムは、電動遮蔽装置における遮蔽材の開閉を遠隔制御可能とするコンピューターに、タッチ操作を検出可能なタッチパネル式表示部の表示画面上に、遠隔制御対象の電動遮蔽装置における遮蔽材の開閉状態の模擬表示を行うステップと、当該表示画面に対するタッチ操作として、フリック操作、所定回数のタップ操作及びロングタップ操作のうちの１つ又はこれらの組み合わせによる当該遮蔽材の開閉状態を制御する操作要求を検出するステップと、該操作要求に応じた制御コマンドを生成して当該遠隔制御対象の電動遮蔽装置に向けて送信し遠隔制御するステップと、を実行させるためのプログラムである。
【００２３】
更に、本発明による電動遮蔽装置は、本発明の情報端末装置から当該制御コマンドを受け付ける手段と、当該制御コマンドに応じた操作要求に関する遮蔽材の開閉状態となるよう動作する手段と、当該動作後の遮蔽材の開閉状態に関する状態情報を制御コマンドの応答として前記情報端末装置に向けて返信する手段と、を備えることを特徴とする。
【００２４】
また、本発明による電動遮蔽装置において、現在の遮蔽材の開閉状態を示す状態情報、或いは該状態情報及び当該遮蔽材の開閉に関する仕様情報を含む制御コマンドを受け付ける手段と、該制御コマンドに応じて、当該状態情報、或いは当該状態情報及び当該仕様情報を前記情報端末装置に向けて返信する手段と、を更に備えることを特徴とする。
【００２５】
また、本発明による電動遮蔽装置において、自身又は他の制御対象の電動遮蔽装置に向けて送信された当該制御コマンドを中継して送信する手段を更に備えることを特徴とする。
【発明の効果】
【００２６】
本発明によれば、タッチパネル式表示部を有する携帯端末装置により、宅内の電動遮蔽装置を無線通信により制御可能にするとともに、その操作性を向上させることができる。
【図面の簡単な説明】
【００２７】
【図１】本発明による一実施形態の携帯端末装置により宅内の電動遮蔽装置を無線通信により制御可能にする制御システムの概略構成を示すブロック図である。
【図２】本発明による一実施形態の携帯端末装置により制御対象とする電動遮蔽装置が備える制御ユニットの概略構成を示すブロック図である。
【図３】本発明による一実施形態の携帯端末装置により制御対象とする電動遮蔽装置との無線通信を中継する中継装置の概略構成を示すブロック図である。
【図４】（ａ）は、本発明による一実施形態の携帯端末装置により制御対象とする電動遮蔽装置が備える制御ユニットが管理する状態情報管理テーブルの例を示す図であり、（ｂ）は、本発明による一実施形態の携帯端末装置により制御対象とする電動遮蔽装置との無線通信を中継する中継装置が管理する場合の状態情報管理テーブルの例を示す図である。
【図５】本発明による一実施形態の携帯端末装置の概略構成を示すブロック図である。
【図６】本発明による一実施形態の携帯端末装置により宅内の電動遮蔽装置を無線通信により制御可能にする制御システムの制御フローを示す図である。
【図７】（ａ）乃至（ｆ）は、本発明による一実施形態の携帯端末装置に対する操作手順に係る表示画面例を示す図である。
【図８】本発明による一実施形態の携帯端末装置における実施例１の制御方法を示すフローチャートである。
【図９】本発明による一実施形態の携帯端末装置における実施例２の制御方法を示すフローチャートである。
【図１０】本発明による一実施形態の携帯端末装置における実施例３の制御方法を示すフローチャートである。
【図１１】本発明による一実施形態の携帯端末装置における実施例４の制御方法を示すフローチャートである。
【図１２】本発明による一実施形態の携帯端末装置における実施例５の制御方法を示すフローチャートである。
【図１３】本発明による一実施形態の携帯端末装置における実施例６の制御方法を示すフローチャートである。
【図１４】本発明による一実施形態の携帯端末装置における実施例７の制御方法を示すフローチャートである。
【図１５】本発明による一実施形態の携帯端末装置における実施例８の制御方法を示すフローチャートである。
【図１６】本発明による一実施形態の携帯端末装置における実施例９の制御方法を示すフローチャートである。
【図１７】本発明による一実施形態の携帯端末装置における実施例１０の制御方法を示すフローチャートである。
【図１８】本発明による一実施形態の携帯端末装置における実施例１１の制御方法を示すフローチャートである。
【図１９】本発明による一実施形態の携帯端末装置における実施例１２の遮蔽材（スラット）の開閉に関する制御方法を示すフローチャートである。
【図２０】本発明による一実施形態の携帯端末装置における実施例１２の遮蔽材（スラット）のチルト量に関する制御方法を示すフローチャートである。
【図２１】（ａ），（ｂ）は、本発明による一実施形態の携帯端末装置における実施例１の制御方法に係る動的模擬表示の画面に対する操作例を示す図である。
【図２２】（ａ），（ｂ）は、本発明による一実施形態の携帯端末装置における実施例２の制御方法に係る動的模擬表示の画面に対する操作例を示す図である。
【図２３】（ａ），（ｂ）は、本発明による一実施形態の携帯端末装置における実施例３の制御方法に係る動的模擬表示の画面に対する操作例を示す図である。
【図２４】（ａ），（ｂ），（ｃ）,（ｄ）は、本発明による一実施形態の携帯端末装置における実施例４の制御方法に係る動的模擬表示の画面に対する操作例を示す図である。
【図２５】（ａ），（ｂ），（ｃ）,（ｄ）は、本発明による一実施形態の携帯端末装置における実施例５の制御方法に係る動的模擬表示の画面に対する操作例を示す図である。
【図２６】（ａ），（ｂ），（ｃ）,（ｄ）は、本発明による一実施形態の携帯端末装置における実施例６の制御方法に係る動的模擬表示の画面に対する操作例を示す図である。
【図２７】（ａ），（ｂ），（ｃ）,（ｄ）は、本発明による一実施形態の携帯端末装置における実施例７の制御方法に係る動的模擬表示の画面に対する操作例を示す図である。
【図２８】（ａ），（ｂ），（ｃ）,（ｄ）は、本発明による一実施形態の携帯端末装置における実施例８の制御方法に係る動的模擬表示の画面に対する操作例を示す図である。
【図２９】（ａ），（ｂ），（ｃ）,（ｄ）は、本発明による一実施形態の携帯端末装置における実施例９の制御方法に係る動的模擬表示の画面に対する操作例を示す図である。
【図３０】（ａ），（ｂ）は、本発明による一実施形態の携帯端末装置における実施例１０の制御方法に係る動的模擬表示の画面に対する操作例を示す図である。
【図３１】（ａ），（ｂ）は、本発明による一実施形態の携帯端末装置における実施例１１の制御方法に係る動的模擬表示の画面に対する操作例を示す図である。
【図３２】（ａ），（ｂ）は、本発明による一実施形態の携帯端末装置における実施例１２の制御方法に係る動的模擬表示の画面に対する操作例を示す図である。
【図３３】（ａ），（ｂ）は、本発明による一実施形態の携帯端末装置における実施例１２の制御方法に係る変形例の動的模擬表示の画面に対する操作例を示す図である。
【図３４】（ａ），（ｂ）は、本発明による一実施形態の携帯端末装置における他の動的模擬表示の画面に対する操作例を示す図である。
【図３５】（ａ），（ｂ）は、それぞれ本発明による一実施形態の携帯端末装置における遠隔制御に係る実行処理完了の通知ダイアログ表示の例を示す図である。
【図３６】（ａ），（ｂ）は、それぞれ本発明による一実施形態の携帯端末装置における遠隔制御に係る目盛表示の例を示す図である。
【図３７】（ａ），（ｂ），（ｃ）,（ｄ）は、本発明による一実施形態の携帯端末装置における実施例１３の制御方法に係る模擬表示の画面に対する操作例を示す図である。
【図３８】（ａ），（ｂ），（ｃ）は、本発明による一実施形態の携帯端末装置における実施例１４の制御方法に係る模擬表示の画面に対する操作例を示す図である。
【図３９】本発明による一実施形態の携帯端末装置により宅内の電動遮蔽装置を無線通信により制御可能にする制御システムの制御フローの変形例を示す図である。
【発明を実施するための形態】
【００２８】
以下、図面を参照して、本発明による一実施形態の携帯端末装置１‐１又は１‐２（以下、総括して、「携帯端末装置１」と称する）を説明する。
【００２９】
（制御システム）
図１は、本実施形態の携帯端末装置１により宅内の電動遮蔽装置８を無線通信により制御可能にする制御システムの概略構成を示すブロック図である。
【００３０】
本発明に係る携帯端末装置１は、タッチパネル式表示部を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成される。特に、本発明に係る携帯端末装置１は、詳細に後述するが、フリック操作、或いは所定回数のタップ操作（タップ、ダブルタップ、トリプルタップ等の予め定められた回数のタップ操作）、更にはロングタップ操作により、宅内の制御対象の電動遮蔽装置８における遮蔽材の開閉状態（又はチルト状態）を無線通信により制御可能とするとともに、制御対象の電動遮蔽装置における遮蔽材の開閉状態を動的に模擬表示して、操作者によって直感的に把握しやすくするよう構成されている。
【００３１】
宅内の制御対象の電動遮蔽装置８として、例えば電動で開閉動作する、縦型又は横型ブライド、ロールスクリーン、カーテンレール、たくし上げカーテン、或いはプリーツスクリーンなどとすることができ、図１に示す例では、代表的に横型ブライドとロールスクリーンが各間仕切り領域（例えば、リビング、寝室、部屋Ａ、…）に１以上設けられている。
【００３２】
それぞれの制御対象の電動遮蔽装置８は、１つの中継装置２に有線接続されている。中継装置２は、携帯端末装置１からの制御コマンドを中継し、対応する電動遮蔽装置８へと送信する機能と、当該制御コマンドに係る対応する電動遮蔽装置８の応答を中継し、携帯端末装置１に送信する機能とを有する。例えば、中継装置２は、宅内で携帯端末装置１‐１による無線通信（Ｗｉ−Ｆｉ等）４による制御コマンドを対応する電動遮蔽装置８へと送信し、その応答を携帯端末装置１‐１に返信するよう構成することができる。或いは、中継装置２は、宅外で携帯端末装置１‐２による制御コマンドを無線又は有線のネットワーク６と接続する無線通信路５を経て、当該ネットワーク６と接続される宅内に設置された無線ルーター３により、無線通信（Ｗｉ−Ｆｉ等）７による制御コマンドを対応する電動遮蔽装置８へと送信し、その応答を携帯端末装置１‐２に返信するよう構成することができる。
【００３３】
（電動遮蔽装置内の制御ユニット）
図２は、本発明による一実施形態の携帯端末装置１により制御対象とする電動遮蔽装置８が備える制御ユニット８０の概略構成を示すブロック図である。ここでは、電動遮蔽装置８として遮蔽材（スラット）の開閉と、そのスラットの角度（即ち、チルト量）を電動により制御可能な横型ブラインド用のものを例に説明する。
【００３４】
電動式の横型ブラインドは、スラットのチルト量及び昇降位置を制御可能なモーター（図示せず）、及びスラットのチルト量及び昇降高さを認識するためのエンコーダー（図示せず）を備えている。
【００３５】
中継装置２によって有線接続される制御ユニット８０は、制御対象とする電動遮蔽装置８のそれぞれに設けられ、制御部８１、個別スイッチ通信制御部８２、記憶部８３、通信部８４、駆動部８６、及びパルス信号受信部８７を備える。また、制御部８１は、制御コマンド解析実行手段８１１と操作信号解析実行手段８１２とを備え、制御コマンド解析実行手段８１１は、開閉位置制御手段８１３、チルト量制御手段８１４、及び状態情報管理手段８１５を備える。
【００３６】
個別スイッチ通信制御部８２は、電動遮蔽装置８毎に設けられる個別スイッチ（図示せず）から操作信号を受信して制御部８１に送信し、制御部８１により当該操作信号に対応する動作を実行する機能部である。例えば、当該個別スイッチは、電動遮蔽装置８として構成される横型ブラインドについて、操作者によってスラットのチルト量や遮蔽材の昇降位置を指定可能なスイッチボタンを有し、操作者によって指定されたチルト量や遮蔽材の昇降位置に関する操作信号を個別スイッチ通信制御部８２に出力することができる。
【００３７】
当該操作信号を受信した制御部８１は、操作信号解析実行手段８１２により、指定されるチルト操作や昇降操作を実行するよう動作する。より具体的には、操作信号解析実行手段８１２は、当該個別スイッチ５を経て操作者によって指定される任意のチルト量・昇降位置について、当該チルト量となるよう駆動部８６を介してチルト量及び昇降位置を制御可能なモーター（図示せず）を制御しスラットを回動させ、或いは当該昇降位置となるようスラットを昇降させる。尚、スラットのチルト量と昇降位置を別個のモーターで構成することもでき、これら各モーターを個別に駆動する駆動部を設けるよう構成してもよい。この場合、高段階のチルト量の制御のためにステッピングモーターを利用することもできる。
【００３８】
通信部８４は、中継装置２との相互通信を行う機能部であり、中継装置２を介して中継される携帯端末装置１からの制御コマンドを受信し制御部８１に出力するとともに、制御部８１によって生成される当該制御コマンドに係る対応する電動遮蔽装置８の応答を、中継装置２を介して携帯端末装置１に送信する機能とを有する。
【００３９】
当該制御コマンドを受信した制御部８１は、制御コマンド解析実行手段８１１により、指定されるチルト操作や昇降操作を実行するよう動作する。より具体的には、制御コマンド解析実行手段８１１内の開閉位置制御手段８１３は、当該制御コマンドに対応する昇降位置となるよう駆動部８６を介して当該昇降モーター（図示せず）を制御しスラットを昇降させ、或いは、制御コマンド解析実行手段８１１内のチルト量制御手段８１４は、当該制御コマンドに対応するチルト量となるよう駆動部８６を介して当該モーター（図示せず）を制御しスラットを回動させる。
【００４０】
尚、制御コマンド解析実行手段８１１及び操作信号解析実行手段８１２は、スラットのチルト動作及び昇降動作の制御中、当該モーター（図示せず）のパルス数をカウントして制御中のチルト量を監視する機能、パルス信号受信部８７を経て得られる当該チルト量及び昇降高さを認識可能とするエンコーダー（図示せず）からのパルス信号のパルス数をカウントして制御中の昇降位置を監視する機能を有する。
【００４１】
更に、制御コマンド解析実行手段８１１及び操作信号解析実行手段８１２は、スラットのチルト動作及び昇降動作の結果の現在状態を示す状態情報を記憶部８３に保持し更新する。そして、全ての制御対象の電動遮蔽装置８における制御コマンド解析実行手段８１１及び操作信号解析実行手段８１２は、更新された昇降動作（及びスラットのチルト動作）の結果となる現在状態を示す状態情報をその更新が為される度に中継装置２へと通信するよう構成することもできる。
【００４２】
特に、制御コマンド解析実行手段８１１は、携帯端末装置１からの制御コマンドによって実行したスラットのチルト動作及び昇降動作の結果を状態情報として記憶部８３に保持し更新する状態情報管理手段８１５を備えている。更に、状態情報管理手段８１５は、当該制御コマンドが状態情報の取得を指示するときは、記憶部８３から現在のチルト量及び昇降位置を示す状態情報を取得して、その制御コマンドの応答として通信部８４を介し中継装置２を経て携帯端末装置１に通知する機能を有する。
【００４３】
このように、携帯端末装置１からの制御コマンドには、制御対象の電動遮蔽装置８を識別する識別子（遮蔽装置アドレス）、当該横型ブラインドにおけるスラットのチルト動作及び昇降動作を指示する制御パラメーター、及び状態情報の取得を指示する制御パラメーターが含まれる。また、制御コマンドには、チルト量及び昇降位置に関する制御パラメーターの他、複数種のチルト速度（即ち、スラットの回動速度）に関する制御パラメーターを含ませて、制御コマンド解析実行手段８１１により、当該制御コマンド内の制御パラメーターに基づいたチルト速度でスラットを回動させるよう構成することもできる。
【００４４】
尚、本例の制御部８１をコンピューターで構成させることができる。当該コンピューターに、制御部８１の各手段を実現させるためのプログラムは、当該コンピューターの内部又は外部のメモリ（図示せず）に記憶される（当該メモリは記憶部８３と共有にしてもよい）。コンピューターに備えられる中央演算処理装置（ＣＰＵ）などの制御で、制御部８１の各手段を実現するための処理内容が記述されたプログラムを、適宜、当該メモリから読み込んで、制御部８１の機能に相当する処理をコンピューターで実現させることができる。
【００４５】
図２に示す制御ユニット８０は、電動遮蔽装置８として遮蔽材（スラット）の開閉と、そのスラットの角度（即ち、チルト量）を電動により制御可能な横型ブラインドを例に説明したが、他の種類の電動遮蔽装置（例えばロールスクリーン）であれば、遮蔽材の昇降位置に関する機能部のみを設けることで、図２に示す制御ユニット８０とほぼ同様に構成することができる。例えば、電動式のロールスクリーンには、チルト用の駆動手段を設ける必要はない。
【００４６】
（中継装置）
図３は、本発明による一実施形態の携帯端末装置１により制御対象とする電動遮蔽装置８との無線通信を中継する中継装置２の概略構成を示すブロック図である。中継装置２は、制御部２１、記憶部２２、及び通信部２３，２４を備える。制御部２１は、状態管理手段２１１及び制御コマンド解析中継制御手段２１２を備える。
【００４７】
通信部２３は、電動遮蔽装置８と相互通信を行う機能部である。
【００４８】
通信部２４は、宅内で携帯端末装置１‐１と相互通信を行う機能部、及び／又は、宅外で無線ルーター３を介して携帯端末装置１‐２と相互通信を行う機能部である。
【００４９】
制御部２１内の状態管理手段２１１は、必ずしも設ける必要はないが、全ての制御対象の電動遮蔽装置８における制御コマンド解析実行手段８１１及び操作信号解析実行手段８１２が、更新されたスラットのチルト動作及び昇降動作の結果の現在状態を示す状態情報をその更新が為される度に中継装置２へと通信するよう構成されているときに、全ての制御対象の電動遮蔽装置８における最新の状態情報を記憶部２２へ保持して管理する機能部である。それぞれの制御対象の電動遮蔽装置８は、例えば横型ブラインドであれば図４（ａ）に示すように自身のスラットのチルト動作及び昇降動作の結果の現在状態を示す状態情報が状態情報管理テーブルとして保持されており、これを中継装置２の状態管理手段２１１が取得すると、図４（ｂ）に示すように全ての制御対象の電動遮蔽装置８における状態情報管理テーブルを更新し保持するよう構成することができる。
【００５０】
制御コマンド解析中継制御手段２１２は、通信部２４を介して携帯端末装置１による制御コマンドを受信すると、通信部２３を介してその制御コマンドを対応する識別子（遮蔽装置アドレス）の電動遮蔽装置８へと送信することにより中継する機能部である。尚、通信部２４を介して受信した制御コマンドを、通信部２３を介して全ての制御対象の電動遮蔽装置８へと送信するよう構成することもできる。この場合、各電動遮蔽装置８における制御コマンド解析実行手段８１１は、自身の識別子（遮蔽装置アドレス）を有する制御コマンドであるか否かを判別して実行するか否かを判定する。
【００５１】
尚、中継装置２又は中継装置２の制御部２１をコンピューターで構成させることができる。当該コンピューターに、制御部２１の各手段を実現させるためのプログラムは、当該コンピューターの内部又は外部のメモリ（図示せず）に記憶される（当該メモリは記憶部２２と共有にしてもよい）。コンピューターに備えられる中央演算処理装置（ＣＰＵ）などの制御で、制御部２１の各手段を実現するための処理内容が記述されたプログラムを、適宜、当該メモリから読み込んで、制御部２１の機能に相当する処理をコンピューターに実現させることができる。
【００５２】
本例における中継装置２は、制御対象とする電動遮蔽装置８を登録可能なユーザーインターフェースを有し、携帯端末装置１により、制御対象とする電動遮蔽装置８の遠隔制御に関するアプリケーションが保持されたサーバーコンピューターとして構成される。従って、携帯端末装置１は、この中継装置２として構成されるサーバーコンピューターにアクセスし、中継装置２上で動作するアプリケーションに対して制御コマンドを送り、対応する遠隔制御を実行するようオンデマンド形式で構成するか、又は中継装置２から当該アプリケーションをダウンロードして携帯端末装置１上で動作するアプリケーションを用いて制御コマンドを送り、対応する遠隔制御を実行するよう構成することができる。
【００５３】
従って、携帯端末装置１は、中継装置２にアクセスすることで、制御対象とする電動遮蔽装置８を検知することができ、所望の制御対象を指定することができる。
【００５４】
（携帯端末装置）
図５は、本発明による一実施形態の携帯端末装置１の概略構成を示すブロック図である。携帯端末装置１は、所謂スマートフォンやタブレットなどとすることができ、本発明に係る構成要素のみを説明するに、制御部１１、タッチパネル式表示部１２、記憶部１３、及び通信部１４を備える。制御部１１は、タッチ操作検出手段１１１、表示制御手段１１２、及び制御コマンド生成手段１１３を備える。
【００５５】
通信部１４は、宅内で中継装置２と相互通信を行う機能部、及び／又は、宅外で無線ルーター３を介して中継装置２と相互通信を行う機能部である。
【００５６】
タッチパネル式表示部１２は、操作者による所定種類のタッチ操作（スワイプ操作、ピンチイン操作、ピンチアウト操作、フリック操作、所定回数のタップ操作（タップ、ダブルタップ、トリプルタップ等の予め定められた回数のタップ操作）、及びロングタップ操作を含む）を許容している。
【００５７】
制御部１１内のタッチ操作検出手段１１１は、詳細は後述するが、当該タッチ操作に予め関連付けた動作を行う機能部であり、通信部１４を介して制御コマンドを送信し、その応答を受信して、タッチパネル式表示部１２や記憶部１３の情報管理を行う機能部である。
【００５８】
制御部１１内の表示制御手段１１２は、操作者による所定種類のタッチ操作に応じて当該制御対象の電動遮蔽装置８の操作に関する操作メニュー画面・エリア画面・状態画面・操作実行画面をタッチパネル式表示部１２に表示する機能、操作者による所定種類のタッチ操作に応じて、又は所定種類の画面表示をトリガとして自動的に取得した、宅内の全ての制御対象の電動遮蔽装置８における遮蔽材の開閉状態（又はチルト状態）に関する状態情報を記憶部１３に一時記憶し、適宜、タッチパネル式表示部１２に表示可能にする機能、当該制御対象の電動遮蔽装置８を模擬表示する機能、及び、操作者による所定種類のタッチ操作に応じて送信する制御コマンドに対応する遮蔽材の開閉動作（又はチルト動作）を動的模擬表示する機能を有する。
【００５９】
制御部１１内の制御コマンド生成手段１１３は、操作者による所定種類のタッチ操作に応じた制御コマンドを生成し、通信部１４を経て宅内で中継装置２に送信する機能、記憶部１３に一時記憶する機能、及び／又は、宅外で無線ルーター３を介して中継装置２に送信する機能を有する。尚、前述したように、制御コマンドには、制御対象の電動遮蔽装置８を識別する識別子（遮蔽装置アドレス）、当該横型ブラインドにおけるスラットのチルト動作及び昇降動作を指示する制御パラメーター、及び状態情報の取得を指示する制御パラメーターが含まれる。
【００６０】
記憶部１３は、自動取得した宅内の全ての制御対象の電動遮蔽装置８の状態情報、当該自動取得した状態情報を基に模擬表示可能な制御対象の電動遮蔽装置８を模擬表示するためのデータ、及び動的模擬表示に必要なデータを一時記憶する機能部である。
【００６１】
従って、携帯端末装置１は、表示制御手段１１２により自動取得した宅内の全ての制御対象の電動遮蔽装置８の状態情報を記憶部１３に一時記憶し、当該制御対象の電動遮蔽装置８を模擬表示するとともに、操作者による所定種類のタッチ操作に応じて、送信する制御コマンドに対応する遮蔽材の開閉動作（又はチルト動作）を動的模擬表示することができるようになっている。
【００６２】
尚、携帯端末装置１の制御部１１をコンピューターで構成させることができる。当該コンピューターに、制御部１１の各手段を実現させるためのプログラムは、当該コンピューターの内部又は外部のメモリ（図示せず）に記憶される（当該メモリは記憶部１３と共有にしてもよい）。コンピューターに備えられる中央演算処理装置（ＣＰＵ）などの制御で、制御部１１の各手段を実現するための処理内容が記述されたプログラムを、適宜、当該メモリから読み込んで、制御部１１の機能に相当する処理をコンピューターに実現させることができる。
【００６３】
（制御システムの動作フロー）
図６は、本発明による一実施形態の携帯端末装置１により宅内の電動遮蔽装置８を無線通信により制御可能にする制御システムの制御フローを示す図である。ここでは、宅内の携帯端末装置１‐１から中継装置２を介して、制御対象の電動遮蔽装置８を制御する例を説明するが、宅外の携帯端末装置１‐２から制御する場合もほぼ同様であることから、総括して携帯端末装置１と称して説明する。また、携帯端末装置１は、中継装置２から携帯端末装置１上で動作するアプリケーションをダウンロードして用いて、制御コマンドを送り、対応する遠隔制御を実行するよう構成した例を説明する。
【００６４】
まず、携帯端末装置１は、タッチ操作検出手段１１１により、当該アプリケーションを示すアイコンに対し操作者によるタッチ操作（タップ又はダブルタップ）を検出し、表示制御手段１１２により、当該制御対象の電動遮蔽装置８の操作に関する操作メニュー画面をタッチパネル式表示部１２に表示する（ステップＳ１）。例えば、携帯端末装置１のタッチパネル式表示部１２には、図７（ａ）に示す多数のアイコンが示された「デフォルト画面」が提示されており、このうち操作者によるタッチ操作（タップ又はダブルタップ）により本発明に係る当該アプリケーションを示す「アイコンｐ１」が指定されると、当該アプリケーションが起動し、図７（ｂ）に示す「操作メニュー画面ｐ２」が提示される。
【００６５】
続いて、携帯端末装置１は、タッチ操作検出手段１１１により、当該「操作メニュー画面ｐ２」に対し操作者によるタッチ操作（タップ又はダブルタップ）で、予め当該アプリケーションで登録されている間仕切り領域（「リビング」・「寝室」・「部屋Ａ」・「全体」）、或いは「戻る」のいずれが指定されたかを検出し、表示制御手段１１２により、当該制御対象の電動遮蔽装置８の操作に関するエリア画面をタッチパネル式表示部１２に表示する（ステップＳ２）。尚、「戻る」が指定されたと判定した場合、表示制御手段１１２は、「デフォルト画面」に移行する。また、当該「操作メニュー画面ｐ２」の「リビング」・「寝室」・「部屋Ａ」は、予め当該アプリケーションで登録されているリビング、寝室、及び部屋Ａ（図１参照）内の電動遮蔽装置８を、当該「操作メニュー画面ｐ２」の「全体」は、当該アプリケーションで登録されている全ての電動遮蔽装置８を指定するものとして判定し、これにより、それぞれの間仕切り領域内の電動遮蔽装置８が個々に示されたアイコンを含む「エリア画面ｐ３」が提示される（図７（ｃ）参照）。
【００６６】
尚、「エリア画面ｐ３」（図７（ｃ）参照）が提示されると、電動遮蔽装置８が個々に示されたアイコンを他のアイコンと重なるように、「ロングタップでスワイプ」させる操作を行なうことで、グループ化することができる。ここで、「ロングタップでスワイプ」させる操作とは、単なるスワイプとは異なり、スワイプさせながら所定時間以上のロングタップ操作である点に留意する。グループ化されたアイコンは、例えば、図７（ｃ）に示すように、四角枠“１”のアイコンと重なるように、四角枠“２”，“８”のアイコンについて「ロングタップでスワイプ」させる操作を行なうと、四角枠“１”内に、破線四角枠“２”，“８”が表示され、“１”を示す電動遮蔽装置８は、“２”，“８”を示す電動遮蔽装置８とグループ化され、“１”を示す電動遮蔽装置８の操作は、“２”，“８”を示す電動遮蔽装置８の操作も同時に行うことを示している。グループ化は、複数の電動遮蔽装置８に対してタイマー設定を共通化したいときや、一括操作したいときなどに有効である。
【００６７】
「エリア画面ｐ３」（図７（ｃ）参照）が提示されると、操作者は電動遮蔽装置８が個々に示された「数値」のアイコン、又は当該エリア内の全体を示す「全体」のアイコンを所定のタッチ操作（タップ又はダブルタップ）により指定して、後述する「操作実行画面ｐ５」（図７（ｅ）又は図７（ｆ）参照）へと移行することを選択できるようになっている。
【００６８】
また、「エリア画面ｐ３」が提示される（図７（ｃ）参照）と、操作者は「状態画面」のアイコンを所定のタッチ操作（タップ又はダブルタップ）により指定して、後述する「状態画面ｐ４」へと移行することを選択でき、「戻る」を選択して「操作メニュー画面」に移行することもできるようになっている。尚、「状態画面ｐ４」への移行は、「エリア画面ｐ３」から任意の画面位置で「ロングタップ」操作により移行するよう構成することもできる。
【００６９】
続いて、図６を参照するに、携帯端末装置１は、表示制御手段１１２により、当該制御対象の電動遮蔽装置８の操作に関するエリア画面をタッチパネル式表示部１２に表示するとともに、自動的に、制御コマンド生成手段１１３により、全ての制御対象の電動遮蔽装置８の状態情報の取得を指示する制御パラメーターを含む制御コマンドを生成し、中継装置２へ送信する（ステップＳ３）。尚、「エリア画面ｐ３」が提示される画面上で、操作者によって「状態画面ｐ４」へと移行することが選択される場合にも、携帯端末装置１は、タッチ操作検出手段１１１により、これを検知し、制御コマンド生成手段１１３により、当該状態情報の取得に関する制御コマンドを生成し、中継装置２へ送信することができる。
【００７０】
このとき、中継装置２は、制御コマンド解析中継制御手段２１２により、当該受信した状態情報の取得に関する制御コマンドを解析し、識別子（遮蔽装置アドレス）を基に、対応する制御対象の電動遮蔽装置８に中継送信する。当該状態情報の取得に関する制御コマンドを受信した電動遮蔽装置８は、状態情報管理手段８１５により、現在の状態情報を当該状態情報の取得に関する制御コマンドに対する応答として、中継装置２を経て携帯端末装置１に返信する（ステップＳ４）。
【００７１】
尚、中継装置２が、状態管理手段２１１により、図４（ｂ）に示すように全ての制御対象の電動遮蔽装置８における状態情報管理テーブルを更新し保持するよう構成されているときは、中継装置２は、当該受信した状態情報の取得に関する制御コマンドを取得すると、制御コマンド解析中継制御手段２１２により、当該状態情報の取得に関する制御コマンドに対する応答として、全ての制御対象の電動遮蔽装置８における状態情報を返信する（ステップＳ４’）。
【００７２】
これにより、携帯端末装置１は、表示制御手段１１２により、取得済の全ての又はエリア画面内の当該制御対象の電動遮蔽装置８の状態情報を記憶部１３に一時記憶することができる。
【００７３】
したがって、携帯端末装置１は、タッチ操作検出手段１１１により、「エリア画面ｐ３」にて、操作者による「状態画面」のアイコンに関する所定のタッチ操作（タップ又はダブルタップ操作）を検出したときは「状態画面ｐ４」（図７（ｄ）参照）へと移行する。
【００７４】
「状態画面ｐ４」では、例えば図７（ｄ）に例示するように、当該エリア（例えば「リビング」）内における全ての電動遮蔽装置８の現在の状態情報を、その電動遮蔽装置８の種別（本例では、横型ブラインドやロールスクリーン）に応じて、例えば遮蔽材の開閉状態を０（全閉状態）〜１００（全開状態）の数値で、横型ブラインドのスラットのチルト量であればスラットの角度（チルト量）を０（正遮蔽）〜１００（逆遮蔽）の数値で、知覚可能な態様で表示可能に提示する。尚、画面上でスクロールして、知覚容易な態様で表示するのが好ましい。「状態画面ｐ４」で「戻る」が指定されると、「エリア画面ｐ３」に移行する。また、所定時間、タッチ操作が検出されないときは、自動的に「エリア画面ｐ３」に移行するよう構成することができる。
【００７５】
そして、図６を参照するに、携帯端末装置１は、タッチ操作検出手段１１１により、「エリア画面ｐ３」上で電動遮蔽装置８が個々に示された「数値」のアイコン（又は当該エリア内の全体を示す「全体」のアイコン）に対して操作者による所定のタッチ操作（タップ又はダブルタップ操作）を検出すると、表示制御手段１１２により、制御対象の電動遮蔽装置８を模擬する態様で、「操作実行画面ｐ５」（図７（ｅ）又は図７（ｆ）参照）をタッチパネル式表示部１２に表示する（ステップＳ５）。例えば横型ブラインドであれば図７（ｅ）に例示する「操作実行画面ｐ５」を、ロールスクリーンであれば図７（ｆ）に例示する「操作実行画面ｐ５」を表示する。尚、複数種の電動遮蔽装置８を含むグループ化の設定時や全体時には、遮蔽材の開閉操作の実行を知覚可能にする予め定めた制御対象の電動遮蔽装置８を模擬表示する（本例では、図７（ｅ）に例示する横型ブラインドを模擬表示すればよい）。
【００７６】
続いて、携帯端末装置１は、「操作実行画面ｐ５」上で、タッチ操作検出手段１１１により、操作者による所定種類のタッチ操作（スワイプ操作、ピンチイン操作、ピンチアウト操作、フリック操作、所定回数のタップ操作、及びロングタップ操作のうち、指定のタッチ操作）を検出し、制御コマンド生成手段１１３により、制御対象の電動遮蔽装置８における遮蔽材の開閉状態（又はチルト状態）に関する制御コマンドを生成し、中継装置２を経て電動遮蔽装置８に送信して、遠隔制御する（ステップＳ６）。
【００７７】
遮蔽材の開閉状態（又はチルト状態）に関する制御コマンドを受信した電動遮蔽装置８は、制御コマンド解析実行手段８１１により、当該制御コマンドで指定される動作を実行し（ステップＳ７）、その制御コマンドに対する応答として当該動作の実行後の状態情報を記憶部８３に更新して中継装置２を経て携帯端末装置１に返信する（ステップＳ８）。
【００７８】
続いて、携帯端末装置１は、当該動作の実行後の状態情報を取得すると、表示制御手段１１２により、当該「操作実行画面ｐ５」の提示時点の状態情報を保持した状態で、新たな状態情報を記憶部１３に一時記憶するとともに、その新たな状態情報を基にした状態を示す模擬表示を「操作実行画面ｐ５」上で動的に提示する（ステップＳ９）。尚、制御対象の電動遮蔽装置８は、ブラインド（スラット）の閉動作に関する１つの制御コマンドに対して、所定間隔で逐次的にそのブラインド（スラット）の状態を示す状態情報を携帯端末装置１に送信するため、携帯端末装置１は、表示制御手段１１２により、その動的模擬表示を可能とする。このステップＳ６及びステップＳ９の一連の動作を、操作者は繰り返し行うことができる。また、ステップＳ６及びステップＳ９の一連の動作に関する幾つかの実施例は詳細に後述する。
【００７９】
そして、携帯端末装置１は、タッチ操作検出手段１１１及び表示制御手段１１２により、図７（ｅ）又は図７（ｆ）に示すように、「操作実行画面ｐ５」上で、操作者が「戻る」に対するタッチ操作（タップ又はダブルタップ）を行うと「エリア画面ｐ３」に移行し、「メニュー」に対するタッチ操作（タップ又はダブルタップ）を行うと「操作メニュー画面ｐ２」に移行するよう構成されている。また、携帯端末装置１は、タッチ操作検出手段１１１及び制御コマンド生成手段１１３により、「操作実行画面ｐ５」上で、操作者が「元に戻す」に対するタッチ操作（タップ又はダブルタップ）を行うと、当該「操作実行画面ｐ５」の提示時点の状態情報を記憶部１３から取り出し、対応する制御コマンドを生成し、中継装置２を経て電動遮蔽装置８に送信して遠隔制御し、「操作実行画面ｐ５」の提示時点の状態に戻すことができるよう構成されている。
【００８０】
以下、図８乃至図２０を参照して実施例１乃至１２の制御方法の詳細を説明するとともに、各実施例に対応する操作例をその変形例を含み図２１乃至図３８を参照して説明する。
【００８１】
（実施例１の制御方法）
図８は、本発明による一実施形態の携帯端末装置１における実施例１の制御方法を示すフローチャートである。また、図２１（ａ）,（ｂ）は、本発明による一実施形態の携帯端末装置１における実施例１の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【００８２】
図８を参照するに、携帯端末装置１は、タッチ操作検出手段１１１により、閉方向に「フリック」操作するものであるか否かを検出する（ステップＳ１１）。閉方向（本例では下降方向）に「フリック」操作であると検出したとき（ステップＳ１１：Ｙ）、ステップＳ１２に移行し、そうでなければステップＳ２０に移行する（ステップＳ１１：Ｎ）。
【００８３】
ステップＳ１１の検出では、携帯端末装置１は、タッチ操作検出手段１１１により、図２１（ａ）に示すように、電動遮蔽装置８の模擬表示映像Ｄに対し、当該模擬表示映像Ｄ内で、ブラインド（スラット）の閉方向への「フリック」操作を検出した場合に（図示する白抜き矢印）、操作者が閉操作を所望しているものと判別し、他の座標領域における他のタッチ操作（他方向のフリック操作を含む）では、その閉操作を受け付けないようになっている。
【００８４】
閉方向に「フリック」操作であると検出したとき（ステップＳ１１：Ｙ）、携帯端末装置１は、表示制御手段１１２により、現在の状態情報を確認し、ブラインド（スラット）が全閉状態（本例では下限位置状態）であるか否かを判別する（ステップＳ１２）。ブラインド（スラット）が全閉状態であれば（ステップＳ１２：Ｙ）、携帯端末装置１は、その「フリック」操作に対する実行処理を終了し、ブラインド（スラット）が全閉状態でなければ（ステップＳ１２：Ｎ）、制御コマンド生成手段１１３により、ブラインド（スラット）を閉じる旨（本例では下降の旨）を示す制御コマンドを生成し、中継装置２を経て電動遮蔽装置８に送信して遠隔制御する（ステップＳ１３）。
【００８５】
制御コマンドの送信を経て、携帯端末装置１は、制御部１１の機能により、送信した制御コマンドの応答として状態情報を取得すると、表示制御手段１１２により、当該「操作実行画面ｐ５」の提示時点の状態情報を保持した状態で、新たな状態情報を記憶部１３に一時記憶するとともに、その新たな状態情報を基にした状態を示す模擬表示を「操作実行画面ｐ５」上で動的に提示するよう更新する（ステップＳ１５）。尚、制御対象の電動遮蔽装置８は、ブラインド（スラット）の閉動作に関する１つの制御コマンドに対して、所定間隔で逐次的にそのブラインド（スラット）の閉状態を示す状態情報を携帯端末装置１に送信するため、携帯端末装置１は、表示制御手段１１２により、その動的模擬表示を可能とする。
【００８６】
従って、操作者は、「操作実行画面ｐ５」上でブラインド（スラット）の閉動作が動的に変化する様子を確認することができる。
【００８７】
続いて、携帯端末装置１は、タッチ操作検出手段１１１により、閉動作の停止を示す「タップ」操作の検出を待機し（ステップＳ１６）、「タップ」操作の検出がないときは（ステップＳ１６：Ｎ）、ステップＳ１４，Ｓ１５の処理を継続する。尚、ブラインド（スラット）の閉状態が下限（全閉）となるまで閉動作の停止を示す「タップ」操作の検出が検出されないときは、動作限界の状態にあるか否か（ここでは、全閉の状態にあるか否か）を判別し（ステップＳ２３）、動作限界の状態にないときは（ステップＳ２３：Ｎ）、ステップＳ１４に移行し、動作限界の状態にあるときは（ステップＳ２３：Ｙ）、遠隔制御に関する実行処理を終了する。「タップ」操作の検出があるとき（ステップＳ１６：Ｙ）、ステップＳ１７に移行する。
【００８８】
ステップＳ１６の検出では、携帯端末装置１は、タッチ操作検出手段１１１により、図２１（ｂ）に示すように、電動遮蔽装置８の模擬表示映像Ｄに対し、その画面内で「タップ」操作を検出した場合に、操作者がその閉動作の停止を所望しているものと判別し、他のタッチ操作では、その閉動作の停止を受け付けないようになっている。
【００８９】
携帯端末装置１は、タッチ操作検出手段１１１により、「タップ」操作による閉動作の停止を検出すると（ステップＳ１６：Ｙ）、制御コマンド生成手段１１３により、その動作停止の制御コマンドを生成し、中継装置２を経て電動遮蔽装置８に送信する（ステップＳ１７）。
【００９０】
続いて、携帯端末装置１は、表示制御手段１１２により、その動作停止の制御コマンドの応答として状態情報を受信し（ステップＳ１８）、動作停止後の状態情報を基に、当該「操作実行画面ｐ５」の提示時点の状態情報を保持した状態で、新たな状態情報を記憶部１３に一時記憶するとともに、その新たな状態情報を基にした状態を示す模擬表示を「操作実行画面ｐ５」上で提示する（ステップＳ１９）。
【００９１】
尚、携帯端末装置１は、タッチ操作検出手段１１１及び制御コマンド生成手段１１３により、「操作実行画面ｐ５」上で、操作者が「元に戻す」に対するタッチ操作（タップ又はダブルタップ）を行うと、当該「操作実行画面ｐ５」の提示時点の状態情報を記憶部１３から取り出し、対応する制御コマンドを生成し、中継装置２を経て電動遮蔽装置８に送信して遠隔制御し、「操作実行画面ｐ５」の提示時点の状態に戻すことができる。尚、「元に戻す」に対するタッチ操作の検出後、一旦、後述する図３３や図３７に例示するような各動作のボタンを示すダイアログ表示画面Ｄｓを提示してもよい。
【００９２】
また、携帯端末装置１は、タッチ操作検出手段１１１により、開方向に「フリック」操作するものであるか否かを検出するものであると検出したとき（ステップＳ２０：Ｙ）、ステップＳ２１に移行し、そうでなければ（ステップＳ２０：Ｎ）、当該タッチ操作に対する実行処理を終了する。
【００９３】
ステップＳ２０の検出においても、携帯端末装置１は、タッチ操作検出手段１１１により、電動遮蔽装置８の模擬表示映像Ｄに対し、当該模擬表示映像Ｄ内で、遮蔽材の開方向への「フリック」操作を検出した場合に、操作者が開操作を所望しているものと判別し、他の座標領域における他のタッチ操作（他方向のフリック操作を含む）では、その閉操作を受け付けないようになっている。
【００９４】
開方向に「フリック」操作であると検出したとき（ステップＳ２０：Ｙ）、携帯端末装置１は、表示制御手段１１２により、現在の状態情報を確認し、ブラインド（スラット）が全開状態（本例ではスラット上限位置状態）であるか否かを判別する（ステップＳ２１）。ブラインド（スラット）が全開状態であれば（ステップＳ２１：Ｙ）、携帯端末装置１は、その「フリック」操作に対する実行処理を終了し、ブラインド（スラット）が全開状態でなければ（ステップＳ２１：Ｎ）、制御コマンド生成手段１１３により、ブラインド（スラット）を上昇させる旨を示す制御コマンドを生成し、中継装置２を経て電動遮蔽装置８に送信して遠隔制御し（ステップＳ２２）、これ以降は閉動作を開動作と置き換えて上述のステップＳ１４乃至Ｓ１９と同様に制御する。
【００９５】
このように、実施例１の制御方法によるタッチパネル式表示部１２を有する携帯端末装置１によれば、操作者によって直感的に分かりやすい「フリック」操作と「タップ」操作により、宅内の電動遮蔽装置８を無線通信により制御可能にするため、その操作性を向上させることができる。
【００９６】
（実施例２の制御方法）
図９は、本発明による一実施形態の携帯端末装置１における実施例２の制御方法を示すフローチャートである。また、図２２（ａ）,（ｂ）は、本発明による一実施形態の携帯端末装置１における実施例２の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【００９７】
図９に示す実施例２の制御方法は、図８に示す実施例１の制御方法におけるステップＳ１６のタップ操作の検出を、ダブルタップ操作の検出に置き換えて構成したものである（ステップＳ１６ａ）。その他の制御動作は同様であり、更なる説明は省略する。
【００９８】
即ち、実施例２の制御方法では、携帯端末装置１は、タッチ操作検出手段１１１により、図２２（ａ）に示すように、電動遮蔽装置８の模擬表示映像Ｄに対し、当該模擬表示映像Ｄ内で、ブラインド（スラット）の閉方向への「フリック」操作を検出した場合に（図示する白抜き矢印）、操作者が閉操作を所望しているものと判別し、制御コマンド生成手段１１３により、ブラインド（スラット）を閉じる旨を示す制御コマンドを生成し、中継装置２を経て電動遮蔽装置８に送信して遠隔制御する。
【００９９】
そして、携帯端末装置１は、タッチ操作検出手段１１１により、図２２（ｂ）に示すように、電動遮蔽装置８の模擬表示映像Ｄに対し、その画面内で「ダブルタップ」操作を検出した場合に、操作者がその閉動作の停止を所望しているものと判別し、制御コマンド生成手段１１３により、その動作停止の制御コマンドを生成し、中継装置２を経て電動遮蔽装置８に送信する。
【０１００】
このように、実施例２の制御方法によるタッチパネル式表示部１２を有する携帯端末装置１によれば、操作者によって直感的に分かりやすい「フリック」操作と「ダブルタップ」操作により、宅内の電動遮蔽装置８を無線通信により制御可能にするため、その操作性を向上させることができる。
【０１０１】
（実施例３の制御方法）
図１０は、本発明による一実施形態の携帯端末装置１における実施例３の制御方法を示すフローチャートである。また、図２３（ａ）,（ｂ）は、本発明による一実施形態の携帯端末装置１における実施例３の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１０２】
図１０に示す実施例３の制御方法は、図８に示す実施例１の制御方法におけるステップＳ１６のタップ操作の検出を、開閉方向以外の方向のフリック操作の検出に置き換えて構成したものである（ステップＳ１６ｂ）。その他の制御動作は同様であり、更なる説明は省略する。
【０１０３】
即ち、実施例３の制御方法では、携帯端末装置１は、タッチ操作検出手段１１１により、図２３（ａ）に示すように、電動遮蔽装置８の模擬表示映像Ｄに対し、当該模擬表示映像Ｄ内で、ブラインド（スラット）の閉方向への「フリック」操作を検出した場合に（図示する白抜き矢印）、操作者が閉操作を所望しているものと判別し、制御コマンド生成手段１１３により、ブラインド（スラット）を閉じる旨を示す制御コマンドを生成し、中継装置２を経て電動遮蔽装置８に送信して遠隔制御する。
【０１０４】
そして、携帯端末装置１は、タッチ操作検出手段１１１により、図２３（ｂ）に示すように、電動遮蔽装置８の模擬表示映像Ｄに対し、その画面内で開閉方向以外の方向の「フリック」操作を検出した場合に、操作者がその閉動作の停止を所望しているものと判別し、制御コマンド生成手段１１３により、その動作停止の制御コマンドを生成し、中継装置２を経て電動遮蔽装置８に送信する。
【０１０５】
このように、実施例３の制御方法によるタッチパネル式表示部１２を有する携帯端末装置１によれば、操作者によって直感的に分かりやすい「フリック」操作と開閉方向以外の方向の「フリック」操作により、宅内の電動遮蔽装置８を無線通信により制御可能にするため、その操作性を向上させることができる。
【０１０６】
（実施例４の制御方法）
図１１は、本発明による一実施形態の携帯端末装置１における実施例４の制御方法を示すフローチャートである。また、図２４（ａ）,（ｂ），（ｃ）,（ｄ）は、本発明による一実施形態の携帯端末装置１における実施例４の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１０７】
図１１に示す実施例４の制御方法は、図８に示す実施例１の制御方法におけるステップＳ１１，Ｓ２０のフリック操作の検出を、開閉方向位置を示すタップ操作の検出に置き換えて構成し（ステップＳ１１ａ，Ｓ２０ａ）、図８に示す実施例１の制御方法におけるステップＳ１６のタップ操作の検出を、開閉方向以外の方向のフリック操作の検出に置き換えて構成され（ステップＳ１６ｂ）、加えて、タッチ座標に基づく操作要求で開動作又は閉動作の制御コマンドを送信し、当該タッチ座標に対応する位置まで制御対象の電動遮蔽装置８を動作せるよう構成したものである（ステップＳ１３ａ，Ｓ２２ａ）。その他の制御動作は同様であり、更なる説明は省略する。
【０１０８】
即ち、実施例４の制御方法では、携帯端末装置１は、タッチ操作検出手段１１１により、閉方向位置の所定座標領域Ｄ２内でタップ操作される閉動作のタッチ座標（図２４（ａ）参照）、或いは模擬表示映像Ｄにおける開方向位置の所定座標領域Ｄ３（ヘッドボックスからボトムレール間）内でタップ操作される開動作のタッチ座標（図２４（ｃ）参照）を検出すると（ステップＳ１１ａ又はＳ２０ａ）、それぞれ当該タッチ座標の位置までの閉操作又は開操作を所望しているものと判別する。続いて、制御コマンド生成手段１１３により、全閉状態に無いときの閉動作であれば、ブラインド（スラット）を下降させる旨、及び当該タッチ座標を含む制御コマンドを生成し、中継装置２を経て電動遮蔽装置８に送信して遠隔制御する（ステップＳ１３ａ）。一方、全開状態に無いときの開動作であれば、ブラインド（スラット）を上昇させる旨、及び当該タッチ座標を含む制御コマンドを生成し、中継装置２を経て電動遮蔽装置８に送信して遠隔制御する（ステップＳ２２ａ）。当該タッチ座標を含む制御コマンドを受け付けた電動遮蔽装置８は、以下に示す停止用の制御コマンドを受け付けない限り、当該制御コマンドに含まれるタッチ座標に対応する位置まで開閉動作を実行する。
【０１０９】
電動遮蔽装置８が開閉動作を実行中、携帯端末装置１は、タッチ操作検出手段１１１により、閉動作時に関しては、図２４（ｂ）に示すように、電動遮蔽装置８の模擬表示映像Ｄに対し、その画面内で開閉方向以外の方向の「フリック」操作を検出した場合に（ステップＳ１６ｂ：Ｙ）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。同様に、開動作時に関しては、図２４（ｄ）に示すように、電動遮蔽装置８の模擬表示映像Ｄに対し、その画面内で開閉方向以外の方向の「フリック」操作を検出した場合に（ステップＳ１６ｂ：Ｙ）、操作者がその開動作の停止を所望しているものと判別し、制御コマンド生成手段１１３により、その動作停止の制御コマンドを生成し、中継装置２を経て電動遮蔽装置８に送信する（ステップＳ１７）。その他の制御は実施例１の制御方法と同様である。尚、タッチ操作検出手段１１１は、検出したタッチ座標が全閉位置（本例では下限位置）近傍、或いは全開位置（本例では上限位置）であるときは、制御コマンド生成手段１１３によりそれぞれ当該遮蔽材を全閉又は全開にするものとして制御コマンドを送信する。
【０１１０】
このように、実施例４の制御方法によるタッチパネル式表示部１２を有する携帯端末装置１によれば、操作者によって直感的に分かりやすい開閉方向及びその座標位置を示す「タップ」操作と開閉方向以外の方向の「フリック」操作により、宅内の電動遮蔽装置８を無線通信により制御可能にするため、その操作性を向上させることができる。
【０１１１】
（実施例５の制御方法）
図１２は、本発明による一実施形態の携帯端末装置１における実施例５の制御方法を示すフローチャートである。また、図２５（ａ）,（ｂ），（ｃ）,（ｄ）は、本発明による一実施形態の携帯端末装置１における実施例５の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１１２】
図１２に示す実施例５の制御方法は、図１１に示す実施例４の制御方法におけるステップＳ１１ａ，Ｓ２０ａのタップ操作の検出を、ダブルタップ操作の検出に置き換えて構成したものである（ステップＳ１１ｂ，Ｓ２０ｂ）。その他の制御動作は同様であり、更なる説明は省略する。
【０１１３】
即ち、実施例５の制御方法では、携帯端末装置１は、タッチ操作検出手段１１１により、閉方向位置の所定座標領域Ｄ２内でダブルタップ操作される閉動作のタッチ座標（図２５（ａ）参照）、或いは模擬表示映像Ｄにおける開方向位置の所定座標領域Ｄ３（ヘッドボックスからボトムレール間）内でダブルタップ操作される開動作のタッチ座標（図２５（ｃ）参照）を検出すると（ステップＳ１１ｂ又はＳ２０ｂ）、それぞれ当該タッチ座標の位置までの閉操作又は開操作を所望しているものと判別する。続いて、制御コマンド生成手段１１３により、全閉状態に無いときの閉動作であれば、ブラインド（スラット）を下降させる旨、及び当該タッチ座標を含む制御コマンドを生成し、中継装置２を経て電動遮蔽装置８に送信して遠隔制御する（ステップＳ１３ａ）。一方、全開状態に無いときの開動作であれば、ブラインド（スラット）を上昇させる旨、及び当該タッチ座標を含む制御コマンドを生成し、中継装置２を経て電動遮蔽装置８に送信して遠隔制御する（ステップＳ２２ａ）。当該タッチ座標を含む制御コマンドを受け付けた電動遮蔽装置８は、以下に示す停止用の制御コマンドを受け付けない限り、当該制御コマンドに含まれるタッチ座標に対応する位置まで開閉動作を実行する。
【０１１４】
電動遮蔽装置８が開閉動作を実行中、携帯端末装置１は、タッチ操作検出手段１１１により、閉動作時に関しては、図２５（ｂ）に示すように、電動遮蔽装置８の模擬表示映像Ｄに対し、その画面内で開閉方向以外の方向の「フリック」操作を検出した場合に（ステップＳ１６ｂ：Ｙ）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。同様に、開動作時に関しては、図２５（ｄ）に示すように、電動遮蔽装置８の模擬表示映像Ｄに対し、その画面内で開閉方向以外の方向の「フリック」操作を検出した場合に（ステップＳ１６ｂ：Ｙ）、操作者がその開動作の停止を所望しているものと判別し、制御コマンド生成手段１１３により、その動作停止の制御コマンドを生成し、中継装置２を経て電動遮蔽装置８に送信する（ステップＳ１７）。その他の制御は実施例１の制御方法と同様である。尚、タッチ操作検出手段１１１は、検出したタッチ座標が全閉位置（本例では下限位置）近傍、或いは全開位置（本例では上限位置）であるときは、制御コマンド生成手段１１３により当該遮蔽材を全閉又は全開にするものとして制御コマンドを送信する。
【０１１５】
このように、実施例５の制御方法によるタッチパネル式表示部１２を有する携帯端末装置１によれば、操作者によって直感的に分かりやすい開閉方向及びその座標位置を示す「ダブルタップ」操作と開閉方向以外の方向の「フリック」操作により、宅内の電動遮蔽装置８を無線通信により制御可能にするため、その操作性を向上させることができる。
【０１１６】
（実施例６の制御方法）
図１３は、本発明による一実施形態の携帯端末装置１における実施例６の制御方法を示すフローチャートである。また、図２６（ａ）,（ｂ），（ｃ）,（ｄ）は、本発明による一実施形態の携帯端末装置１における実施例６の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。本実施例の携帯端末装置１は、閉方向位置の所定座標領域Ｄ２内で「タップ」操作によるタッチ座標が検出された際には（図２６（ａ）参照）、遮蔽材の全閉（本例では下限位置）が所望されていると判別し、全閉位置まで遮蔽材を動作させ自動停止させるよう制御する（図２６（ｂ）参照）。また、本実施例の携帯端末装置１は、模擬表示映像Ｄにおける開方向位置の所定座標領域Ｄ３（ヘッドボックスからボトムレール間）内で「タップ」操作によるタッチ座標が検出された際には（図２６（ｃ）参照）、遮蔽材の全開（本例では上限位置）が所望されていると判別して、全開位置まで遮蔽材を動作させ自動停止させるよう制御する（図２６（ｄ）参照）。
【０１１７】
より具体的には、図１３を参照するに、携帯端末装置１は、タッチ操作検出手段１１１により、タッチ座標を基に全閉又は全開方向位置を示す「タップ」操作するものであるか否かを検出する（ステップＳ３１）。全閉又は全開方向位置を示す「タップ」操作であると検出したとき（ステップＳ３１：Ｙ）、ステップＳ３２に移行し、そうでなければその「タップ」操作による実行処理を終了する（ステップＳ３１：Ｎ）。
【０１１８】
続いて、当該全閉又は全開方向位置を示す「タップ」操作であると検出したとき（ステップＳ３１：Ｙ）、携帯端末装置１は、タッチ操作検出手段１１１により、タッチ座標を基に全閉位置を示すタップ操作であるか否かを併せて判別し（ステップＳ３２）、全閉位置を示すタップ操作であると判別したとき（ステップＳ３２：Ｙ）、ステップＳ３３に移行し、そうでなければ（ステップＳ３２：Ｎ）、併せてタッチ座標を基に全開位置を示すタップ操作であるか否かを判別する（ステップＳ３７）。
【０１１９】
ステップＳ３１の検出、並びにステップＳ３２，Ｓ３７の判別では、携帯端末装置１は、タッチ操作検出手段１１１により、図２６（ａ）又は図２６（ｃ）に示すように、電動遮蔽装置８の模擬表示映像Ｄに対し、その所定座標領域Ｄ２又はＤ３内で、ブラインド（スラット）の全閉又は全開方向位置を示す「タップ」操作を検出した場合に（図示する例では全閉方向位置）、操作者が閉操作又は開操作のいずれを所望しているかを判別し、他のタッチ操作では、その閉操作を受け付けないようになっている。
【０１２０】
図２６（ａ）に示すように全閉位置を示す「タップ」操作であるとしてタッチ座標を検出したとき（ステップＳ３２：Ｙ）、携帯端末装置１は、表示制御手段１１２により、現在の状態情報を確認し、ブラインド（スラット）が全閉状態であるか否かを判別する（ステップＳ３３）。ブラインド（スラット）が全閉状態であれば（ステップＳ３３：Ｙ）、携帯端末装置１は、その「タップ」操作に対する実行処理を終了し、ブラインド（スラット）が全閉状態でなければ（ステップＳ３３：Ｎ）、制御コマンド生成手段１１３により、ブラインド（スラット）を閉じる旨を示す制御コマンドを生成し、中継装置２を経て電動遮蔽装置８に送信して遠隔制御する（ステップＳ３４）。
【０１２１】
制御コマンドの送信を経て、携帯端末装置１は、制御部１１の機能により、送信した制御コマンドの応答として状態情報を取得すると（ステップＳ３５）、表示制御手段１１２により、当該「操作実行画面ｐ５」の提示時点の状態情報を保持した状態で、新たな状態情報を記憶部１３に一時記憶するとともに、その新たな状態情報を基にした状態を示す模擬表示を「操作実行画面ｐ５」上で動的に「全閉状態となるまで」提示するよう更新する（ステップＳ３６）。従って、図２６（ｂ）に示すように、操作者は、「操作実行画面ｐ５」上でブラインド（スラット）の閉動作が「全閉状態となるまで」動的に変化し、自動停止する様子を確認することができる。
【０１２２】
また、携帯端末装置１は、タッチ操作検出手段１１１により、図２６（ｃ）に示すように全開位置を示す「タップ」操作であるとしてタッチ座標を検出したとき（ステップＳ３７：Ｙ）、ステップＳ３８に移行して、表示制御手段１１２により、現在の状態情報を確認し、ブラインド（スラット）が全開状態であるか否かを判別する（ステップＳ３８）。ブラインド（スラット）が全開状態であれば（ステップＳ３８：Ｙ）、携帯端末装置１は、その「タップ」操作に対する実行処理を終了し、ブラインド（スラット）が全開状態でなければ（ステップＳ３８：Ｎ）、ステップＳ３４に移行する。これ以降は閉動作を開動作と置き換えて上述のステップＳ３４乃至Ｓ３６と同様に制御する。従って、図２６（ｄ）に示すように、操作者は、「操作実行画面ｐ５」上でブラインド（スラット）の開動作が「全開状態となるまで」動的に変化し、自動停止する様子を確認することができる。
【０１２３】
このように、実施例６の制御方法によるタッチパネル式表示部１２を有する携帯端末装置１によれば、操作者によって直感的に分かりやすい全閉又は全開方向位置を示す「タップ」操作のみで、全閉状態又は全開状態へと、宅内の電動遮蔽装置８を無線通信により制御可能にするため、その操作性を向上させることができる。
【０１２４】
（実施例７の制御方法）
図１４は、本発明による一実施形態の携帯端末装置１における実施例７の制御方法を示すフローチャートである。また、図２７（ａ）,（ｂ），（ｃ）,（ｄ）は、本発明による一実施形態の携帯端末装置１における実施例７の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１２５】
図１４に示す実施例７の制御方法は、図１３に示す実施例６の制御方法におけるステップＳ３１，Ｓ３２，Ｓ３７のタップ操作の検出を、全閉・全開方向位置を示す全閉・全開方向位置を示すダブルタップ操作の検出に置き換えて構成したものである（ステップＳ３１ａ，Ｓ３２ａ，Ｓ３７ａ）。その他の制御動作は同様であり、更なる説明は省略する。本実施例の携帯端末装置１においては、閉方向位置の所定座標領域Ｄ２内でダブルタップ操作によるタッチ座標が検出された際には（図２７（ａ）参照）、遮蔽材の全閉（本例では下限位置）が所望されていると判別し、全閉位置まで遮蔽材を動作させ自動停止させるよう制御する（図２７（ｂ）参照）。また、本実施例の携帯端末装置１は、模擬表示映像Ｄにおける開方向位置の所定座標領域Ｄ３（ヘッドボックスからボトムレール間）内でダブルタップ操作によるタッチ座標が検出された際には（図２７（ｃ）参照）、遮蔽材の全開（本例では上限位置）が所望されていると判別して、全開位置まで遮蔽材を動作させ自動停止させるよう制御する（図２７（ｄ）参照）。
【０１２６】
即ち、図２７（ａ）又は図２７（ｃ）に示すように、携帯端末装置１は、タッチ操作検出手段１１１により、電動遮蔽装置８の模擬表示映像Ｄに対し、その所定座標領域Ｄ２又はＤ３内で、ブラインド（スラット）の全閉又は全開方向位置を示す「ダブルタップ」操作を検出した場合に（図示する例では全閉方向位置）、操作者が閉操作又は開操作のいずれを所望しているかを判別し、他のタッチ操作では、その閉操作を受け付けないようになっている。
【０１２７】
そして、携帯端末装置１は、図２７（ａ）に示すように全閉位置を示す「ダブルタップ」操作であるとしてタッチ座標を検出すると、中継装置２を経て電動遮蔽装置８に送信して遠隔制御し、図２７（ｂ）に示すように、操作者は、「操作実行画面ｐ５」上でブラインド（スラット）の閉動作が「全閉状態となるまで」動的に変化し、自動停止する様子を確認することができる。同様に、携帯端末装置１は、図２７（ｃ）に示すように全開位置を示す「ダブルタップ」操作であるとしてタッチ座標を検出すると、中継装置２を経て電動遮蔽装置８に送信して遠隔制御し、図２７（ｄ）に示すように、操作者は、「操作実行画面ｐ５」上でブラインド（スラット）の開動作が「全開状態となるまで」動的に変化し、自動停止する様子を確認することができる。
【０１２８】
このように、実施例７の制御方法によるタッチパネル式表示部１２を有する携帯端末装置１によれば、操作者によって直感的に分かりやすい全閉又は全開方向位置を示す「ダブルタップ」操作のみで、全閉状態又は全開状態へと、宅内の電動遮蔽装置８を無線通信により制御可能にするため、その操作性を向上させることができる。
【０１２９】
（実施例８の制御方法）
図１５は、本発明による一実施形態の携帯端末装置１における実施例８の制御方法を示すフローチャートである。また、図２８（ａ）,（ｂ），（ｃ）,（ｄ）は、本発明による一実施形態の携帯端末装置１における実施例８の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１３０】
図１５に示す実施例８の制御方法は、図１１に示す実施例４の制御方法におけるステップＳ１６ｂのフリック操作の検出を、開閉方向位置を示すタップ操作の検出に置き換えて構成したものである（ステップＳ１６）。その他の制御動作は同様であり、更なる説明は省略する。
【０１３１】
即ち、実施例８の制御方法では、携帯端末装置１は、タッチ操作検出手段１１１により、閉方向位置の所定座標領域Ｄ２内でタップ操作される閉動作のタッチ座標（図２８（ａ）参照）、或いは模擬表示映像Ｄにおける開方向位置の所定座標領域Ｄ３（ヘッドボックスからボトムレール間）内でタップ操作される開動作のタッチ座標（図２８（ｃ）参照）を検出すると（ステップＳ１１ａ又はＳ２０ａ）、それぞれ当該タッチ座標の位置までの閉操作又は開操作を所望しているものと判別する。続いて、制御コマンド生成手段１１３により、全閉状態に無いときの閉動作であれば、ブラインド（スラット）を下降させる旨、及び当該タッチ座標を含む制御コマンドを生成し、中継装置２を経て電動遮蔽装置８に送信して遠隔制御する（ステップＳ１３ａ）。一方、全開状態に無いときの開動作であれば、ブラインド（スラット）を上昇させる旨、及び当該タッチ座標を含む制御コマンドを生成し、中継装置２を経て電動遮蔽装置８に送信して遠隔制御する（ステップＳ２２ａ）。当該タッチ座標を含む制御コマンドを受け付けた電動遮蔽装置８は、以下に示す停止用の制御コマンドを受け付けない限り、当該制御コマンドに含まれるタッチ座標に対応する位置まで開閉動作を実行する。
【０１３２】
電動遮蔽装置８が開閉動作を実行中、携帯端末装置１は、タッチ操作検出手段１１１により、閉動作時に関しては、図２８（ｂ）に示すように、電動遮蔽装置８の模擬表示映像Ｄに対し、その画面内で「タップ」操作を検出した場合に（ステップＳ１６：Ｙ）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。同様に、開動作時に関しては、図２８（ｄ）に示すように、電動遮蔽装置８の模擬表示映像Ｄに対し、その画面内で「タップ」操作を検出した場合に（ステップＳ１６：Ｙ）、操作者がその開動作の停止を所望しているものと判別し、制御コマンド生成手段１１３により、その動作停止の制御コマンドを生成し、中継装置２を経て電動遮蔽装置８に送信する（ステップＳ１７）。その他の制御は実施例１の制御方法と同様である。尚、タッチ操作検出手段１１１は、検出したタッチ座標が全閉位置（本例では下限位置）近傍、或いは全開位置（本例では上限位置）であるときは、制御コマンド生成手段１１３により当該遮蔽材を全閉又は全開にするものとして制御コマンドを送信する。
【０１３３】
このように、実施例８の制御方法によるタッチパネル式表示部１２を有する携帯端末装置１によれば、操作者によって直感的に分かりやすい開閉動作の開始と停止を示す「タップ」操作により、宅内の電動遮蔽装置８を無線通信により制御可能にするため、その操作性を向上させることができる。
【０１３４】
（実施例９の制御方法）
図１６は、本発明による一実施形態の携帯端末装置１における実施例９の制御方法を示すフローチャートである。また、図２９（ａ）,（ｂ），（ｃ）,（ｄ）は、本発明による一実施形態の携帯端末装置１における実施例９の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて「操作実行画面ｐ５」が表示され、この状態から遠隔制御する例を説明する。
【０１３５】
図１６に示す実施例８の制御方法は、図１２に示す実施例５の制御方法におけるステップＳ１６ｂのフリック操作の検出を、開閉方向位置を示すダブルタップ操作の検出に置き換えて構成したものである（ステップＳ１６ａ）。その他の制御動作は同様であり、更なる説明は省略する。
【０１３６】
即ち、実施例９の制御方法では、携帯端末装置１は、タッチ操作検出手段１１１により、閉方向位置の所定座標領域Ｄ２内でダブルタップ操作される閉動作のタッチ座標（図２９（ａ）参照）、或いは模擬表示映像Ｄにおける開方向位置の所定座標領域Ｄ３（ヘッドボックスからボトムレール間）内でダブルタップ操作される開動作のタッチ座標（図２９（ｃ）参照）を検出すると（ステップＳ１１ｂ又はＳ２０ｂ）、それぞれ当該タッチ座標の位置までの閉操作又は開操作を所望しているものと判別する。続いて、制御コマンド生成手段１１３により、全閉状態に無いときの閉動作であれば、ブラインド（スラット）を下降させる旨、及び当該タッチ座標を含む制御コマンドを生成し、中継装置２を経て電動遮蔽装置８に送信して遠隔制御する（ステップＳ１３ａ）。一方、全開状態に無いときの開動作であれば、ブラインド（スラット）を上昇させる旨、及び当該タッチ座標を含む制御コマンドを生成し、中継装置２を経て電動遮蔽装置８に送信して遠隔制御する（ステップＳ２２ａ）。当該タッチ座標を含む制御コマンドを受け付けた電動遮蔽装置８は、以下に示す停止用の制御コマンドを受け付けない限り、当該制御コマンドに含まれるタッチ座標に対応する位置まで開閉動作を実行する。
【０１３７】
電動遮蔽装置８が開閉動作を実行中、携帯端末装置１は、タッチ操作検出手段１１１により、閉動作時に関しては、図２９（ｂ）に示すように、電動遮蔽装置８の模擬表示映像Ｄに対し、その画面内で「ダブルタップ」操作を検出した場合に（ステップＳ１６ａ：Ｙ）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。同様に、開動作時に関しては、図２９（ｄ）に示すように、電動遮蔽装置８の模擬表示映像Ｄに対し、その画面内で「ダブルタップ」操作を検出した場合に（ステップＳ１６ａ：Ｙ）、操作者がその開動作の停止を所望しているものと判別し、制御コマンド生成手段１１３により、その動作停止の制御コマンドを生成し、中継装置２を経て電動遮蔽装置８に送信する（ステップＳ１７）。その他の制御は実施例１の制御方法と同様である。尚、タッチ操作検出手段１１１は、検出したタッチ座標が全閉位置（本例では下限位置）近傍、或いは全開位置（本例では上限位置）であるときは、制御コマンド生成手段１１３により当該遮蔽材を全閉又は全開にするものとして制御コマンドを送信する。
【０１３８】
このように、実施例９の制御方法によるタッチパネル式表示部１２を有する携帯端末装置１によれば、操作者によって直感的に分かりやすい開閉動作の開始と停止を示す「ダブルタップ」操作により、宅内の電動遮蔽装置８を無線通信により制御可能にするため、その操作性を向上させることができる。
【０１３９】
（実施例１０の制御方法）
図１７は、本発明による一実施形態の携帯端末装置１における実施例１０の制御方法を示すフローチャートである。また、図３０（ａ）,（ｂ）は、本発明による一実施形態の携帯端末装置１における実施例１０の制御方法に係る動的模擬表示の画面に対する操作例を示す図である。ここで、制御対象の電動遮蔽装置８として横型ブラインドを例示し、タッチパネル式表示部１２には、遠隔制御前の状態として、遮蔽材が所定の開状態の状態情報が得られて遮蔽材としてのブラインド（スラット）のチルト動作に関する遮蔽方向を模擬表示する「操作実行画面ｐ５」が表示され（図３０参照）、この状態から遠隔制御する例を説明する。
【０１４０】
図１７に示す実施例１０の制御方法は、図８に示す実施例１の制御方法におけるステップＳ１１乃至Ｓ１３，Ｓ２０乃至Ｓ２２における遮蔽材の開閉動作に関するフリック操作の検出及び制御コマンドの送信を、それぞれ遮蔽材としてのブラインド（スラット）のチルト動作に関する遮蔽方向を示すフリック操作の検出及び制御コマンドの送信に置き換えて構成したものである（ステップＳ１１ｃ乃至Ｓ１３ｃ，Ｓ２０ｃ乃至Ｓ２２ｃ）。その他の制御動作はほぼ同様であり、更なる説明は省略する。
【０１４１】
即ち、実施例１０の制御方法では、図３０に例示するように、遮蔽材としてのブラインド（スラット）のチルト動作に関する遮蔽方向についても容易に操作可能に制御するよう構成したものである。携帯端末装置１は、タッチ操作検出手段１１１により、ブラインド（スラット）のチルト動作に関する遮蔽方向を模擬表示する電動遮蔽装置８の模擬表示映像Ｄに対し、ブラインド（スラット）の正遮蔽方向／逆遮蔽方向（図３０（ａ）では日射表示Ｄａを基準に正遮蔽方向／逆遮蔽方向を識別可能であり、正遮蔽全閉の指示を例示）を示す「フリック」操作を検出した場合に、操作者がそのフリック操作に対応する方向へと全遮蔽とするのを所望しているものと判別し、制御コマンド生成手段１１３により、ブラインド（スラット）を閉じる旨を示す制御コマンドを生成し、中継装置２を経て電動遮蔽装置８に送信して遠隔制御する（ステップＳ１１ｃ乃至Ｓ１３ｃ又はステップＳ２０ｃ乃至Ｓ２２ｃ）。
【０１４２】
そして、携帯端末装置１は、タッチ操作検出手段１１１により、図３１（ｂ）に示すように、電動遮蔽装置８の模擬表示映像Ｄに対し、その画面内で「タップ」操作を検出した場合に（ステップＳ１６）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。
【０１４３】
このように、実施例１０の制御方法によるタッチパネル式表示部１２を有する携帯端末装置１によれば、遮蔽材としてのブラインド（スラット）のチルト動作に関する遠隔制御についても、操作者によって直感的に分かりやすい動作開始を示す「フリック」操作と動作停止を示す「タップ」操作により、宅内の電動遮蔽装置８を無線通信により制御可能にするため、その操作性を向上させることができる。
【０１４４】
（実施例１１の制御方法）
図１８は、本発明による一実施形態の携帯端末装置１における実施例１１の制御方法を示すフローチャートである。また、図３１（ａ）,（ｂ）は、本発明による一実施形態の携帯端末装置１における実施例１１の制御方法に係る動的模擬表示の画面に対する操作例を示す図である。ここで、制御対象の電動遮蔽装置８として横型ブラインドを例示し、タッチパネル式表示部１２には、遠隔制御前の状態として、所定状態の状態情報が得られて遮蔽材としてのブラインド（スラット）のチルト動作に関する遮蔽方向を模擬表示する「操作実行画面ｐ５」が表示され（図３１参照）、この状態から遠隔制御する例を説明する。
【０１４５】
図１８に示す実施例１１の制御方法は、図１７に示す実施例１０の制御方法におけるステップＳ１６のタップ操作の検出を、ダブルタップ操作の検出に置き換えたものである（ステップＳ１６ａ）。その他の制御動作は同様であり、更なる説明は省略する。
【０１４６】
即ち、実施例１１の制御方法では、図３１に例示するように、遮蔽材としてのブラインド（スラット）のチルト動作に関する遮蔽方向についても容易に操作可能に制御するよう構成したものである。携帯端末装置１は、タッチ操作検出手段１１１により、ブラインド（スラット）のチルト動作に関する遮蔽方向を模擬表示する電動遮蔽装置８の模擬表示映像Ｄに対し、ブラインド（スラット）の正遮蔽方向／逆遮蔽方向（図３１（ａ）では日射表示Ｄａを基準に正遮蔽方向／逆遮蔽方向を識別可能であり、正遮蔽全閉の指示を例示）を示す「フリック」操作を検出した場合に、操作者がそのフリック操作に対応する方向へと全遮蔽とするのを所望しているものと判別し、制御コマンド生成手段１１３により、ブラインド（スラット）を閉じる旨を示す制御コマンドを生成し、中継装置２を経て電動遮蔽装置８に送信して遠隔制御する（ステップＳ１１ｃ乃至Ｓ１３ｃ又はステップＳ２０ｃ乃至Ｓ２２ｃ）。
【０１４７】
そして、携帯端末装置１は、タッチ操作検出手段１１１により、図３１（ｂ）に示すように、電動遮蔽装置８の模擬表示映像Ｄに対し、その画面内で「ダブルタップ」操作を検出した場合に（ステップＳ１６ａ）、操作者がその閉動作の停止を所望しているものと判別し、制御コマンド生成手段１１３により、その動作停止の制御コマンドを生成し、中継装置２を経て電動遮蔽装置８に送信する（ステップＳ１７）。
【０１４８】
このように、実施例１１の制御方法によるタッチパネル式表示部１２を有する携帯端末装置１によれば、遮蔽材としてのブラインド（スラット）のチルト動作に関する遠隔制御についても、操作者によって直感的に分かりやすい動作開始を示す「フリック」操作と動作停止を示す「ダブルタップ」操作により、宅内の電動遮蔽装置８を無線通信により制御可能にするため、その操作性を向上させることができる。
【０１４９】
（実施例１２の制御方法）
図１９は、本発明による一実施形態の携帯端末装置１における実施例１２の遮蔽材（スラット）の開閉に関する制御方法を示すフローチャートである。図２０は、本発明による一実施形態の携帯端末装置１における実施例１２の遮蔽材（スラット）のチルト量に関する制御方法を示すフローチャートである。また、図３２（ａ）,（ｂ）は、本発明による一実施形態の携帯端末装置１における実施例１２の制御方法に係る動的模擬表示の画面に対する操作例を示す図である。ここで、制御対象の電動遮蔽装置８として横型ブラインドを例示し、タッチパネル式表示部１２には、遠隔制御前の状態として、所定状態の状態情報が得られて遮蔽材としてのブラインド（スラット）の開閉動作及びチルト動作に関する目盛位置で模擬表示する「操作実行画面ｐ５」が表示され（図３２参照）、この状態から遠隔制御する例を説明する。
【０１５０】
図１９に示す実施例１２の制御方法は、図１３に示す実施例６の制御方法におけるステップＳ３１における遮蔽材の開閉動作に関するタップ操作の検出を、ブラインド（スラット）の開閉動作に関する目盛位置に対するタップ操作の検出に置き換えて構成したものである（ステップＳ３１ｂ）。その他の制御動作は同様であり、更なる説明は省略する。
【０１５１】
図２０に示す実施例１２の制御方法は、図１３に示す実施例６の制御方法におけるステップＳ３１乃至Ｓ３４，Ｓ３７，Ｓ３８における遮蔽材の開閉動作に関するタップ操作の検出を、ブラインド（スラット）のチルト動作に関する目盛位置に対するタップ操作の検出に置き換えて構成したものである（ステップＳ３１ｃ乃至Ｓ３４ｃ，Ｓ３７ｃ，Ｓ３８ｃ）。その他の制御動作は同様であり、更なる説明は省略する。
【０１５２】
即ち、図３２（ａ）に示すように、「操作実行画面ｐ５」には、ブラインド（スラット）の開閉動作及びチルト動作に関する目盛位置で、制御対象の電動遮蔽装置８の模擬表示映像Ｄが提示されている。より具体的には、模擬表示映像Ｄのうちブラインド（スラット）の開閉操作に関しては、全開位置（図示“ＯＰＥＮ”）と全閉位置（図示“ＣＬＯＳＥ”）との間でブラインド（スラット）の開閉操作を表わす白抜き目盛Ｄｃに対し、状態情報を基に現在の状態表示が把握可能な表示（図示“塗りつぶし表示”）で提示される。また、模擬表示映像Ｄのうちブラインド（スラット）のチルト操作に関しては、全開位置（図示“ＯＰＥＮ”）と全閉位置（図示“ＣＬＯＳＥ”）との間でブラインド（スラット）のチルト操作を表わす白抜き目盛Ｄｄに対し、状態情報を基に現在の状態表示が把握可能な表示（図示“塗りつぶし表示”）で提示される。尚、このような目盛表示以外にも、ブラインド（スラット）の開閉動作及びチルト動作の開始に関するボタン表示（図示“Ｄａ”，“Ｄｆ”，“Ｄｂ”，“Ｄｅ”）や、当該動作の停止に関するボタン（図示“Ｄｇ（ＳＴＯＰ）”）がそれぞれ提示され、目盛表示上の操作以外の操作も可能になっている。
【０１５３】
ここでは、ブラインド（スラット）のチルト動作に関する目盛位置に対するタップ操作の検出について説明するに、携帯端末装置１は、タッチ操作検出手段１１１により、電動遮蔽装置８の模擬表示映像Ｄにおける目盛表示に対し、ブラインド（スラット）の全閉・全開（又はチルトに関する正遮蔽方向・逆遮蔽方向）の所望される動作位置を示す「タップ」操作を検出した場合に（ステップＳ３１ｃ乃至Ｓ３３ｃ，Ｓ３７ｃ，Ｓ３８ｃ）、操作者が操作を所望しているものと判別し、他のタッチ操作では、その操作を受け付けないようになっている。例えば、図３２（ａ）に示すように、携帯端末装置１は、タッチ操作検出手段１１１により、チルト動作に関する目盛位置までブラインド（スラット）のチルト量を動作させることが所望されていることを、その「タップ」操作で検出する。続いて、携帯端末装置１は、制御コマンド生成手段Ｓ３４により、ブラインド（スラット）をその操作に対応するチルト量を示す制御コマンドを生成し、中継装置２を経て電動遮蔽装置８に送信して遠隔制御する（ステップＳ３４ｃ）。
【０１５４】
そして、携帯端末装置１は、制御部１１の機能により、送信した制御コマンドの応答として状態情報を取得すると、表示制御手段１１２により、当該「操作実行画面ｐ５」の提示時点の状態情報を保持した状態で、新たな状態情報を記憶部１３に一時記憶するとともに、その新たな状態情報を基にした状態を示す模擬表示を「操作実行画面ｐ５」上で動的に「全閉状態となるまで」提示するよう更新する。従って、図３２（ｂ）に示すように、操作者は、「操作実行画面ｐ５」上でブラインド（スラット）のチルト動作が「所望状態となるまで」動的に変化し、自動停止する様子を確認することができる（当該目盛上で図示“塗りつぶし表示”が動的変化して提示）。
【０１５５】
ここでは、図３２（ａ）において「タップ」操作で所望される動作を検出し、図３２（ｂ）においてそのタップ位置まで動作させて自動停止させる例を説明したが、図３２に示すように目盛表示とする際には、図３２（ａ）において「ロングタップでスワイプ」させる操作で所望される動作を検出し、図３２（ｂ）においてそのロングタップでスワイプさせた位置まで動作させて自動停止させるよう構成することもできる。ここで、「ロングタップでスワイプ」させる操作とは、単なるスワイプとは異なり、スワイプさせながら所定時間以上のロングタップ操作である点に留意する。
【０１５６】
このように、実施例１２の制御方法によるタッチパネル式表示部１２を有する携帯端末装置１によれば、操作者によって直感的に分かりやすいブラインド（スラット）の開閉動作及びチルト動作に関する目盛位置の模擬表示上で「タップ」操作のみで、宅内の電動遮蔽装置８を無線通信により制御可能にするため、その操作性を向上させることができる。
【０１５７】
尚、図３２では、目盛表示を例に説明したが、図３３に示すように、制御対象の電動遮蔽装置８の形態に沿ってブラインド（スラット）の開閉動作及びチルト動作に関する模擬表示映像Ｄを表示し、各動作のボタンを示すダイアログ表示画面Ｄｓを提示してもよい。より具体的には、携帯端末装置１は、動作開始時には、図３３（ａ）に示すように、ボタン表示画面Ｄｓ内の開閉動作／チルト動作の開始を示すボタン表示（図示“Ｄａ”，“Ｄｆ”，“Ｄｂ”，“Ｄｅ”）のタッチ操作（タップ又はダブルタップ）を検出して制御コマンドを制御対象の電動遮蔽装置８に送信し、動作停止時には、図３３（ｂ）に示すように、開閉動作／チルト動作の停止を示すボタン表示（図示“Ｄｇ”）のタッチ操作（タップ操作）を検出して制御コマンドを制御対象の電動遮蔽装置８に送信する。尚、開閉動作／チルト動作の停止を示すボタン表示（図示“Ｄｇ”）のタッチ操作（タップ又はダブルタップ）の検出がない場合、制御対象の電動遮蔽装置８は当該開閉動作／チルト動作はそれぞれの動作方向への限界位置で自動停止し、同様にその限界位置で模擬表示映像Ｄの動作表示も停止する。
【０１５８】
図３３に示すボタン表示画面Ｄｓは、上述した実施例１乃至１１における「操作実行画面ｐ５」上で、携帯端末装置１が、タッチ操作検出手段１１１により、「ロングタップ」操作を検出した時に、表示制御手段１１２により、ダイアログ表示させるよう構成することもできる。
【０１５９】
また、上述した図２１乃至図３３では、横型ブラインドを模擬表示する例に説明したが、他の種類の電動遮蔽装置８であれば、これに応じて動的模擬表示する。例えば実施例１の制御方法において、図３４（ａ）に示すように、制御対象のカーテンレールの模擬表示映像Ｄに対してフリック操作を検出して動作開始を示す制御コマンドを当該制御対象のカーテンレールに送信し、図３４（ｂ）に示すように、タップ操作を検出して動作停止を示す制御コマンドを当該制御対象のカーテンレールに送信するよう構成することができる。このように、電動遮蔽装置８の種類に応じた模擬表示映像Ｄを提示し、操作者にとってより直感的に分かりやすい操作とすることで、その操作性を向上させることができる。ただし、複数種類の電動遮蔽装置８を一括して操作する場合や、全体の電動遮蔽装置８を一括して操作する場合には、代表的な電動遮蔽装置８を表示すればよい。例えば、最も小さい値の識別子を持つ電動遮蔽装置８を代表的に指定し、その状態情報を基に動的模擬表示を行う。
【０１６０】
また、携帯端末装置１は、例えば実施例１の制御方法において、その「フリック」操作に対する実行処理を終了する際には、例えば「操作実行画面ｐ５」上で、「下降完了」（図３５（ａ）参照）や、「上昇完了」（図３５（ｂ）参照）など、遠隔制御に係る実行処理完了の通知ダイアログ表示Ｄ１を行うよう構成するのが好適である。他の実施例の制御方法による場合も同様に、実行処理完了の通知ダイアログ表示Ｄ１を行うよう構成することができる。
【０１６１】
また、携帯端末装置１は、「操作実行画面ｐ５」上で、その模擬表示映像Ｄの動的模擬表示が分かりやすくなるように、遮蔽材の全閉状態から全開状態までの目盛表示を提示するよう構成するのが好適である。例えば、図３６（ａ）では横型ブラインドの目盛表示例を、図３６（ｂ）ではカーテンレールの目盛表示例を示している。
【０１６２】
上述した図２１乃至図３６に示す例では、「操作実行画面ｐ５」を基に制御対象の電動遮蔽装置１に関する模擬表示・操作検出・動的模擬表示を行う例を説明したが、図３７に示すように、「操作メニュー画面ｐ２」を基に制御対象の電動遮蔽装置１に関する模擬表示・操作検出（更に好適には動的模擬表示）を行うよう構成することもできる。即ち、図３７（ａ）に示すように、アイコンで制御対象の電動遮蔽装置１をリスト表示の態様で模擬表示を提示する。図３７（ａ）に示す例では、全て横型ブラインドである例を示しているが、制御対象の電動遮蔽装置１を模擬するようリスト表示し、エリアも識別可能に文字又は記号で表示する。例えば、図３７（ａ）では、それぞれの制御対象の電動遮蔽装置１を“リビング１”，“リビング２”，…，“寝室１”，“寝室２”，…，“部屋Ａ１”，“部屋Ａ２”，…，のようにスクロール可能な態様で表示した様子を示している。
【０１６３】
図３７（ａ）に示すような「操作メニュー画面ｐ２」上で、携帯端末装置１は、タッチ操作検出手段１１１により、模擬表示されたアイコン上で「タップ」操作を検出したとき（図３７（ｂ）参照）、表示制御手段１１２により、制御対象の電動遮蔽装置８の形態に沿って、各動作のボタンを示すダイアログ表示画面Ｄｓを提示する（図３７（ｃ）参照）。前述した図３３に示す例と同様に、単に「タップ」操作のみで操作の実行及び停止を指示するよう構成することもできるが、ここでは、図３７（ｃ）に示すように、ダイアログ表示画面Ｄｓ上には、操作ウィンドウＤｓ１も提示され、停止を示す“ＳＴＯＰ”表示上をデフォルト位置として提示するよう構成する。
【０１６４】
ダイアログ表示画面Ｄｓ上に操作ウィンドウＤｓ１が提示されると、「ロングタップでスワイプ」させる操作で操作者は遮蔽材の開閉動作（横型ブラインドであれば遮蔽材のチルト動作を含む）を指示できるようになっている。即ち、携帯端末装置１は、タッチ操作検出手段１１１により、ダイアログ表示画面Ｄｓ上における操作ウィンドウＤｓ１の「ロングタップでスワイプ」させる操作を検出し、操作者が所望する動作を実行するべく制御コマンド生成手段１１３により制御コマンドを生成して制御対象の電動遮蔽装置８に対応する動作を実行させる。
【０１６５】
尚、携帯端末装置１は、「ロングタップでスワイプ」させる操作の検出後、表示制御手段１１２により、操作ウィンドウＤｓ１を “ＳＴＯＰ”表示上のデフォルト位置へと戻すよう表示する（図３７（ｄ）参照）。そして、操作者は、当該動作の停止を所望するときは、操作ウィンドウＤｓ１内の“ＳＴＯＰ”ボタンをタップ操作する。この場合にも、図３３に示す例と同様に、携帯端末装置１は、その停止を検出し制御コマンドを制御対象の電動遮蔽装置８に送信する。当該停止の旨を示す制御コマンドを受け付けた制御対象の電動遮蔽装置８は、動作を停止させ、その応答として状態情報を携帯端末装置１に返信する。制御対象の電動遮蔽装置８が当該動作の限界位置に移行しているときに停止の旨を示す制御コマンドを受け付けた場合も同様に応答する。本例において、操作者が指定したアイコン（図示する例では“リビング１”）上に、当該ダイアログ表示画面Ｄｓを表示させるのが好ましい。尚、ダイアログ表示画面Ｄｓは、操作者による所定のタッチ操作（例えばロングタップ）で消すことができるようになっている。また、「操作メニュー画面ｐ２」上の当該アイコン上にダイアログ表示画面Ｄｓを表示させると、制御対象の電動遮蔽装置８の動的模擬表示が提示されなくなるため、図２１乃至図３６に例示した「操作実行画面ｐ５」へと移行可能なタブを「操作メニュー画面ｐ２」に設けるのが好適である。
【０１６６】
このように、「操作メニュー画面ｐ２」上で、制御対象の電動遮蔽装置８をリスト表示させ、この画面上で操作者に所望の操作を行わせるよう構成することで、その操作性が向上する。
【０１６７】
また、「操作メニュー画面ｐ２」上で、複数の制御対象の電動遮蔽装置８のグループ化を行う例を図３８に示している。図３８（ａ）に示すような「操作メニュー画面ｐ２」上で、携帯端末装置１は、タッチ操作検出手段１１１により、模擬表示されたアイコン上で「ロングタップでスワイプ」させる操作を検出したとき（図３８（ｂ）参照）、表示制御手段１１２により、そのリスト順を入れ替えながら、編集設定可能なグループ番号とともにグループ化された旨を示すグルーピング表示を提示する（図３８（ｃ）参照）。例えば、図３８（ｃ）に示す例では、 “リビング１”と“リビング３”のアイコンが重なるように、「ロングタップでスワイプ」させる操作を行なうと、“リビング１”と“リビング３”を示す電動遮蔽装置８がグループ化され、略四角枠のグルーピング表示が編集設定可能なグループ番号“グループ１”とともに提示される。グループ化は、複数の電動遮蔽装置８に対してタイマー設定を共通化したいときや、一括操作したいときなどに有効である。
【０１６８】
以上、特定の実施形態の例を挙げて本発明を説明したが、本発明は前述の実施形態の例や実施例に限定されるものではなく、その技術思想を逸脱しない範囲で種々変形可能である。例えば、上述した各実施例では、携帯端末装置１のタッチパネル式表示部１２上に電動遮蔽装置８の動的模擬表示を実現するために、所定間隔で逐次的にそのブラインド（スラット）の状態を示す状態情報を制御対象の電動遮蔽装置８から取得する例を説明したが、以下に説明するように、操作前の状態で、制御対象の電動遮蔽装置８に関する状態情報を取得するだけでなく、その仕様情報も取得して、疑似的に動的模擬表示を実現するよう構成してもよい。ここで、「仕様情報」とは、制御対象の電動遮蔽装置８に関する遮蔽材の開閉長・開閉速度の情報（遮蔽材がスラットであれば、そのチルト角度の範囲と回転速度を含む）を云う。
【０１６９】
（制御システムの変形例の動作フロー）
図３９は、本発明による一実施形態の携帯端末装置１により宅内の電動遮蔽装置８を無線通信により制御可能にする制御システムの制御フローの変形例を示す図である。ここでは、宅内の携帯端末装置１‐１から中継装置２を介して、制御対象の電動遮蔽装置８を制御する例を説明するが、宅外の携帯端末装置１‐２から制御する場合もほぼ同様であることから、総括して携帯端末装置１と称して説明する。また、携帯端末装置１は、中継装置２から携帯端末装置１上で動作するアプリケーションをダウンロードして用いて、制御コマンドを送り、対応する遠隔制御を実行するよう構成した例を説明する。
【０１７０】
まず、携帯端末装置１は、タッチ操作検出手段１１１により、当該アプリケーションを示すアイコンに対し操作者によるタッチ操作（タップ又はダブルタップ）を検出し、表示制御手段１１２により、当該制御対象の電動遮蔽装置８の操作に関する操作メニュー画面をタッチパネル式表示部１２に表示する（ステップＳ１）。例えば、携帯端末装置１のタッチパネル式表示部１２には、図７（ａ）に示す多数のアイコンが示された「デフォルト画面」が提示されており、このうち操作者によるタッチ操作（タップ又はダブルタップ）により当該アプリケーションを示す「アイコンｐ１」が指定されると、当該アプリケーションが起動し、図７（ｂ）に示す「操作メニュー画面ｐ２」が提示される。
【０１７１】
続いて、携帯端末装置１は、タッチ操作検出手段１１１により、当該「操作メニュー画面ｐ２」に対し操作者によるタッチ操作（タップ又はダブルタップ）で、予め当該アプリケーションで登録されている間仕切り領域（「リビング」・「寝室」・「部屋Ａ」・「全体」）、或いは「戻る」のいずれが指定されたかを検出し、表示制御手段１１２により、当該制御対象の電動遮蔽装置８の操作に関するエリア画面をタッチパネル式表示部１２に表示する（ステップＳ２）。尚、「戻る」が指定されたと判定した場合、表示制御手段１１２は、「デフォルト画面」に移行する。また、当該「操作メニュー画面ｐ２」の「リビング」・「寝室」・「部屋Ａ」は、予め当該アプリケーションで登録されているリビング、寝室、及び部屋Ａ（図１参照）内の電動遮蔽装置８を、当該「操作メニュー画面ｐ２」の「全体」は、当該アプリケーションで登録されている全ての電動遮蔽装置８を指定するものとして判定し、これにより、それぞれの間仕切り領域内の電動遮蔽装置８が個々に示されたアイコンを含む「エリア画面ｐ３」が提示される（図７（ｃ）参照）。
【０１７２】
尚、「エリア画面ｐ３」（図７（ｃ）参照）が提示されると、電動遮蔽装置８が個々に示されたアイコンを他のアイコンと重なるように、「ロングタップでスワイプ」させる操作を行なうことで、グループ化することができる。
【０１７３】
「エリア画面ｐ３」（図７（ｃ）参照）が提示されると、操作者は電動遮蔽装置８が個々に示された「数値」のアイコン、又は当該エリア内の全体を示す「全体」のアイコンを所定のタッチ操作（タップ又はダブルタップ）により指定して、後述する「操作実行画面ｐ５」（図７（ｅ）又は図７（ｆ）参照）へと移行することを選択できるようになっている。
【０１７４】
また、「エリア画面ｐ３」が提示される（図７（ｃ）参照）と、操作者は「状態画面」のアイコンを所定のタッチ操作（タップ又はダブルタップ）により指定して、「状態画面ｐ４」へと移行することを選択でき、「戻る」を選択して「操作メニュー画面」に移行することもできるようになっている。尚、「状態画面ｐ４」への移行は、「エリア画面ｐ３」から任意の画面位置で「ロングタップ」操作により移行するよう構成することもできる。
【０１７５】
続いて、図３９を参照するに、携帯端末装置１は、表示制御手段１１２により、当該制御対象の電動遮蔽装置８の操作に関するエリア画面をタッチパネル式表示部１２に表示するとともに、自動的に、制御コマンド生成手段１１３により、全ての制御対象の電動遮蔽装置８の仕様情報及び状態情報の取得を指示する制御パラメーターを含む制御コマンドを生成し、中継装置２へ送信する（ステップＳ３a）。尚、「エリア画面ｐ３」が提示される画面上で、操作者によって「状態画面ｐ４」へと移行することが選択される場合にも、携帯端末装置１は、タッチ操作検出手段１１１により、これを検知し、制御コマンド生成手段１１３により、当該仕様情報及び状態情報の取得に関する制御コマンドを生成し、中継装置２へ送信することができる。
【０１７６】
このとき、中継装置２は、制御コマンド解析中継制御手段２１２により、当該受信した仕様情報及び状態情報の取得に関する制御コマンドを解析し、識別子（遮蔽装置アドレス）を基に、対応する制御対象の電動遮蔽装置８に中継送信する。当該仕様情報及び状態情報の取得に関する制御コマンドを受信した電動遮蔽装置８は、状態情報管理手段８１５により、自身の仕様情報と現在の状態情報を当該仕様情報及び状態情報の取得に関する制御コマンドに対する応答として、中継装置２を経て携帯端末装置１に返信する（ステップＳ４ａ）。
【０１７７】
尚、中継装置２が、状態管理手段２１１により、図４（ｂ）に示すように全ての制御対象の電動遮蔽装置８における状態情報管理テーブルを更新し保持するよう構成され、且つ仕様情報を関連付けて保持しているときは、中継装置２は、当該受信した仕様情報及び状態情報の取得に関する制御コマンドを取得すると、制御コマンド解析中継制御手段２１２により、当該仕様情報及び状態情報の取得に関する制御コマンドに対する応答として、全ての制御対象の電動遮蔽装置８における仕様情報及び状態情報を返信する（ステップＳ４ａ’）。
【０１７８】
これにより、携帯端末装置１は、表示制御手段１１２により、取得済の全ての又はエリア画面内の当該制御対象の電動遮蔽装置８の仕様情報及び状態情報を記憶部１３に一時記憶することができる。
【０１７９】
したがって、携帯端末装置１は、タッチ操作検出手段１１１により、「エリア画面ｐ３」にて、操作者による「状態画面」のアイコンに関する所定のタッチ操作（タップ又はダブルタップ操作）を検出したときは「状態画面ｐ４」（図７（ｄ）参照）へと移行する。
【０１８０】
「状態画面ｐ４」では、例えば図７（ｄ）に例示するように、当該エリア（例えば「リビング」）内における全ての電動遮蔽装置８の現在の状態情報を、その電動遮蔽装置８の種別（本例では、横型ブラインドやロールスクリーン）に応じて、例えば遮蔽材の開閉状態を０（全閉状態）〜１００（全開状態）の数値で、横型ブラインドのスラットのチルト量であればスラットの角度（チルト量）を０（正遮蔽）〜１００（逆遮蔽）の数値で、知覚可能な態様で表示可能に提示する。尚、画面上でスクロールして、知覚容易な態様で表示するのが好ましい。「状態画面ｐ４」で「戻る」が指定されると、「エリア画面ｐ３」に移行する。また、所定時間、タッチ操作が検出されないときは、自動的に「エリア画面ｐ３」に移行するよう構成することができる。
【０１８１】
そして、図３９を参照するに、携帯端末装置１は、タッチ操作検出手段１１１により、「エリア画面ｐ３」上で電動遮蔽装置８が個々に示された「数値」のアイコン（又は当該エリア内の全体を示す「全体」のアイコン）に対して操作者による所定のタッチ操作（タップ又はダブルタップ操作）を検出すると、表示制御手段１１２により、制御対象の電動遮蔽装置８を模擬する態様で、「操作実行画面ｐ５」（図７（ｅ）又は図７（ｆ）参照）をタッチパネル式表示部１２に表示する（ステップＳ５）。例えば横型ブラインドであれば図７（ｅ）に例示する「操作実行画面ｐ５」を、ロールスクリーンであれば図７（ｆ）に例示する「操作実行画面ｐ５」を表示する。尚、複数種の電動遮蔽装置８を含むグループ化の設定時や全体時には、遮蔽材の開閉操作の実行を知覚可能にする予め定めた制御対象の電動遮蔽装置８を模擬表示する（本例では、図７（ｅ）に例示する横型ブラインドを模擬表示すればよい）。
【０１８２】
続いて、携帯端末装置１は、「操作実行画面ｐ５」上で、タッチ操作検出手段１１１により、操作者による所定種類のタッチ操作（スワイプ操作、ピンチイン操作、ピンチアウト操作、フリック操作、所定回数のタップ操作、及びロングタップ操作のうち、指定のタッチ操作）を検出し、制御コマンド生成手段１１３により、制御対象の電動遮蔽装置８における遮蔽材の開閉状態（又はチルト状態）に関する制御コマンドを生成し、中継装置２を経て電動遮蔽装置８に送信して、遠隔制御する（ステップＳ６）。
【０１８３】
遮蔽材の開閉状態（又はチルト状態）に関する制御コマンドを受信した電動遮蔽装置８は、制御コマンド解析実行手段８１１により、当該制御コマンドで指定される動作を実行し（ステップＳ７）、その制御コマンドに対する当該動作の実行後の状態情報を記憶部８３に更新する。
【０１８４】
続いて、携帯端末装置１は、表示制御手段１１２により、当該「操作実行画面ｐ５」の提示時点の状態情報を保持した状態で、当該仕様情報を基に制御コマンドの送信からの経過時間を基にその動作量を演算し、疑似的に制御対象の電動遮蔽装置８の開閉状態を示す模擬表示を「操作実行画面ｐ５」上で動的に提示する（ステップＳ９ａ）。
【０１８５】
尚、携帯端末装置１は、タッチ操作検出手段１１１及び表示制御手段１１２により、「操作実行画面ｐ５」上で、操作者が「元に戻す」に対するタッチ操作（タップ又はダブルタップ）を行うと、当該「操作実行画面ｐ５」の提示時点の状態情報を記憶部１３から取り出し、対応する制御コマンドを生成し、中継装置２を経て電動遮蔽装置８に送信して遠隔制御し、「操作実行画面ｐ５」の提示時点の状態に戻すことができるよう構成されている。
【０１８６】
このように本変形例の動作フローによれば、上述した各実施例の制御方法において動的模擬表示を行う際に、携帯端末装置１と制御対象の電動遮蔽装置８との間の通信回数を減らすことができる。これにより、それぞれの装置の処理負担を軽減させるとともに、操作者にとってより直感的に分かりやすい動的模擬表示やタッチ操作を提示して、その操作性を向上させることができる。
【０１８７】
また、図３９における変形例の動作フローにおいても、上述した図２１乃至図３６に示すような「操作実行画面ｐ５」を基に制御対象の電動遮蔽装置１に関する模擬表示・操作検出・動的模擬表示を行う態様や、図３７及び図３８に示すような「操作メニュー画面ｐ２」を基に制御対象の電動遮蔽装置１に関する模擬表示・操作検出（更に好適には動的模擬表示）を行うよう構成することもできる。
【０１８８】
尚、中継装置２の機能を、制御対象の電動遮蔽装置１の各々が有するよう構成することもできる。
【０１８９】
また、図３５を参照して、携帯端末装置１が制御対象の電動遮蔽装置１に対する遠隔制御に係る実行処理完了の通知ダイアログ表示Ｄ１を行う好適例を説明したが、当該実行処理開始の際にもその旨を知らせる通知ダイアログ表示を行うよう構成してもよい。
【産業上の利用可能性】
【０１９０】
本発明によれば、操作者にとってより直感的に分かりやすい動的模擬表示やタッチ操作を提示して、その操作性を向上させることができるので、タッチパネル式表示部を有する携帯端末装置により電動遮蔽装置を遠隔制御する用途に有用である。
【符号の説明】
【０１９１】
１，１‐１，１‐２  携帯端末装置
２  中継装置
３  無線ルーター
８  電動遮蔽装置
１１  制御部
１２  タッチパネル式表示部
１３  記憶部
１４  通信部
１１１  タッチ操作検出手段
１１２  表示制御手段
１１３  制御コマンド生成手段
【図１】
0006574354.tif 000002
【図２】
0006574354.tif 000003
【図３】
0006574354.tif 000004
【図４】
0006574354.tif 000005
【図５】
0006574354.tif 000006
【図６】
0006574354.tif 000007
【図７】
0006574354.tif 000008
【図８】
0006574354.tif 000009
【図９】
0006574354.tif 000010
【図１０】
0006574354.tif 000011
【図１１】
0006574354.tif 000012
【図１２】
0006574354.tif 000013
【図１３】
0006574354.tif 000014
【図１４】
0006574354.tif 000015
【図１５】
0006574354.tif 000016
【図１６】
0006574354.tif 000017
【図１７】
0006574354.tif 000018
【図１８】
0006574354.tif 000019
【図１９】
0006574354.tif 000020
【図２０】
0006574354.tif 000021
【図２１】
0006574354.tif 000022
【図２２】
0006574354.tif 000023
【図２３】
0006574354.tif 000024
【図２４】
0006574354.tif 000025
【図２５】
0006574354.tif 000026
【図２６】
0006574354.tif 000027
【図２７】
0006574354.tif 000028
【図２８】
0006574354.tif 000029
【図２９】
0006574354.tif 000030
【図３０】
0006574354.tif 000031
【図３１】
0006574354.tif 000032
【図３２】
0006574354.tif 000033
【図３３】
0006574354.tif 000034
【図３４】
0006574354.tif 000035
【図３５】
0006574354.tif 000036
【図３６】
0006574354.tif 000037
【図３７】
0006574354.tif 000038
【図３８】
0006574354.tif 000039
【図３９】
0006574354.tif 000040